(57)【要約】【課題】購買活動時におけるユーザに対する利便性を向上した携帯端末及びそれを用いた決済システムを提供する。【解決手段】携帯電話１００は、所定の商品及びその値段を示す内容の商品情報１０ａを発信機１０から取得する送受信部１０１と、購買情報記憶部１０８と、送受信部１０１により取得された商品情報１０ａに示される商品及びその値段を特定し、ユーザによる操作に応じてその特定結果を購買情報記憶部１０８に登録するとともに、購買情報記憶部１０８に登録されている商品の値段を積算する制御部１０２と、積算された積算額を表示する表示部１０３と、購買情報記憶部１０８に登録されている商品の値段に基づいて、電子商取引を行うための決済情報１１０ａを作成する決済情報作成部１１０とを備える。【選択図】        図２
2004318650.tif 000002
【特許請求の範囲】
【請求項１】
商品とその値段とを示す内容の商品情報を外部から取得する商品情報取得手段と、
前記商品に関する情報を記憶するための領域を有する記憶手段と、
前記商品情報取得手段により取得された前記商品情報に示される商品及びその値段を特定し、ユーザによる操作に応じて前記特定結果を前記記憶手段に登録する特定登録手段と、
前記記憶手段に登録されている商品の値段について計算を行う計算手段と、
前記計算手段により計算された金額を表示する表示手段と、
前記記憶手段に登録されている商品の値段に基づいて、電子商取引を行うための決済情報を作成してこれを送信する決済手段と
を備えることを特徴とする携帯端末。
【請求項２】
前記商品は棚に陳列されており、
前記商品情報取得手段は、前記棚に取り付けられた送信機から無線通信媒体を介して送信される前記商品情報を取得する
ことを特徴とする請求項１記載の携帯端末。
【請求項３】
前記表示手段は、
前記記憶手段に登録されている商品及びその値段を表示する
ことを特徴とする請求項１又は２記載の携帯端末。
【請求項４】
前記携帯端末は、さらに、
所定の商品に対する割引額を示す内容の割引情報を前記携帯端末の外部から取得して保持する割引情報保持手段と、
前記商品情報取得手段で取得された商品情報により示される商品が、前記割引情報保持手段により保持される割引情報に対応する商品であるか否かを判別する割引判別手段とを備え、
前記特定登録手段は、
前記割引判別手段により前記商品情報の商品が前記割引情報に対応する商品であると判別されたときには、前記商品情報に示される商品の値段から、前記割引情報に示される割引額を減算し、前記減算結果を前記商品の値段として特定する
ことを特徴とする請求項１〜３の何れか１項に記載の携帯端末。
【請求項５】
前記携帯端末は、さらに、
前記計算手段により計算された金額が所定の額以下であるか否かを判定し、前記判定結果を前記表示手段に表示させる上限判定手段
を備えることを特徴とする請求項１〜４の何れか１項に記載の携帯端末。
【請求項６】
前記携帯端末は、さらに、
前記計算手段により計算された金額と、前記特定登録手段により特定されて前記記憶手段に未登録の値段とを加算した加算額が、所定の額以下であるか否かを判定し、前記判定結果を前記表示手段に表示させる上限判定手段
を備えることを特徴とする請求項１〜４の何れか１項に記載の携帯端末。
【請求項７】
前記商品情報には、複数の商品の値段が含まれており、
前記特定登録手段は、前記商品情報取得手段により取得された前記商品情報に示される複数の商品の中から、ユーザによる操作に応じて何れかの商品を選定し、前記選定結果に対応する商品及びその値段を特定する
ことを特徴とする請求項１〜６の何れか１項に記載の携帯端末。
【請求項８】
前記表示手段は、
前記商品情報取得手段により取得された前記商品情報に含まれる内容を表示する
ことを特徴とする請求項１〜７の何れか１項に記載の携帯端末。
【請求項９】
前記携帯端末は、さらに、
前記商品情報により示される商品の場所を示す内容の案内情報を外部から取得する案内情報取得手段を備え、
前記表示手段は、
前記案内情報取得手段により取得された前記案内情報に含まれる内容を表示する
ことを特徴とする請求項１〜８の何れか１項に記載の携帯端末。
【請求項１０】
前記携帯端末は、さらに、
前記特定登録手段で前記記憶手段への登録対象とされる商品を示す内容の注文情報を前記携帯端末の外部に送信する注文手段
を備える
ことを特徴とする請求項１〜９の何れか１項に記載の携帯端末。
【請求項１１】
前記注文手段は、
前記注文情報の発信元を示す内容の発信元識別情報を、前記注文情報に含めて送信する
ことを特徴とする請求項１０記載の携帯端末。
【請求項１２】
前記携帯端末は、携帯電話又はＰＤＡ（Ｐｅｒｓｏｎａｌｄｉｇｉｔａｌ  ａｓｓｉｓｔａｎｔ）又は腕時計である
ことを特徴とする請求項１〜１１の何れか１項に記載の携帯端末。
【請求項１３】
電子商取引による決済を行うための決済システムであって、
請求項１〜１２の何れか１項に記載の携帯端末と、
前記携帯端末に対して前記商品情報を送信する商品情報送信装置と、
前記携帯端末から送信された前記決済情報を取得して、取得した決済情報に基づいて決済処理を実行する決済実行装置と
を備えることを特徴とする決済システム。
【請求項１４】
電子商取引による決済を行うための決済システムであって、
請求項９記載の携帯端末と、
前記携帯端末に対して前記商品情報を送信する商品情報送信装置と、
前記携帯端末から送信された前記決済情報を取得して、取得した決済情報に基づいて決済処理を実行する決済実行装置と、
前記案内情報を前記携帯端末に対して送信する案内装置と
を備えることを特徴とする決済システム。
【請求項１５】
電子商取引による決済を行うための決済システムであって、
請求項１０又は請求項１１に記載の携帯端末と、
前記携帯端末に対して前記商品情報を送信する商品情報送信装置と、
前記携帯端末から送信された前記決済情報を取得して、取得した決済情報に基づいて決済処理を実行する決済実行装置と、
前記携帯端末から送信された前記注文情報を取得して前記注文情報に示される内容を表示する注文処理装置と
を備えることを特徴とする決済システム。
【請求項１６】
前記決済システムは、前記携帯端末を複数備え、
前記注文処理装置は、
前記複数の携帯端末の何れかから前記注文情報を取得したときには、前記注文情報の内容を他の携帯端末に知らせる内容の注文通知情報を送信し、
前記携帯端末は、さらに、
前記注文処理装置から送信された前記注文通知情報を取得して、前記注文通知情報に示される内容を、前記携帯端末の前記記憶手段に登録する通知登録手段を備える
ことを特徴とする請求項１５記載の決算システム。
【請求項１７】
携帯端末を用いて電子商取引による決済を行うための決済方法であって、
送信装置が、商品とその値段とを示す内容の商品情報を送信する商品情報送信ステップと、
前記携帯端末が、前記商品情報送信ステップで送信された前記商品情報を取得して、取得した前記商品情報に基づいて処理を行う処理ステップと、
前記携帯端末が、前記処理ステップで行った処理に基づいて作成された、電子商取引を行うための決済情報を送信する決済情報送信ステップと、
決済装置が、前記決済情報送信ステップで送信された前記決済情報を取得して、取得した前記決済情報に基づいて決済処理を実行する決済ステップとを含み、
前記処理ステップは、
取得した前記商品情報に示される商品及びその値段を特定し、ユーザによる操作に応じて前記特定結果を登録する特定登録ステップと、
前記特定登録ステップで登録された商品の値段について計算を行う計算ステップと、
前記計算ステップで計算された金額を表示する表示ステップと、
前記特定登録ステップで登録された商品の値段に基づいて、前記決済情報を作成する決済情報作成ステップと
を含むことを特徴とする決済方法。
【請求項１８】
前記決済方法は、さらに、
前記携帯端末が、所定の商品に対する割引額を示す内容の割引情報を前記携帯端末の外部から取得する割引情報取得ステップを含み、
前記処理ステップは、さらに、
取得した商品情報により示される商品が、前記割引情報取得ステップで取得された前記割引情報に対応する商品であるか否かを判別する割引判別ステップを含み、
前記特定登録ステップでは、
前記割引判別ステップで前記商品情報の商品が前記割引情報に対応する商品であると判別されたときには、前記商品情報に示される商品の値段から、前記割引情報に示される割引額を減算し、前記減算結果を前記商品の値段として特定する
ことを特徴とする請求項１７記載の決済方法。
【請求項１９】
前記処理ステップは、さらに、
前記計算ステップで計算された金額と、前記特定登録ステップで特定された未登録の値段とを加算した加算額が、所定の額以下であるか否かを判定し、前記判定結果を表示する上限判定ステップ
を含むことを特徴とする請求項１７又は１８記載の決済方法。
【請求項２０】
前記処理ステップは、さらに、
前記特定登録ステップで登録対象とされる商品を示す内容の注文情報を前記携帯端末の外部に送信する注文ステップを含み、
前記決済方法は、さらに、
注文処理装置が、前記携帯端末から送信された前記注文情報を取得して前記注文情報に示される内容を表示する注文処理ステップを含む
ことを特徴とする請求項１７〜１９の何れか１項に記載の決済方法。
【請求項２１】
前記注文処理ステップでは、
複数の前記携帯端末の何れかから取得した前記注文情報の内容を他の携帯端末に知らせる内容の注文通知情報を送信し、
前記処理ステップは、さらに、
前記注文処理ステップで送信された前記注文通知情報を取得して、前記注文通知情報に示される内容を登録する通知登録ステップを含む
ことを特徴とする請求項２０記載の決済方法。
【請求項２２】
請求項１〜１２の何れか１項に記載の携帯端末が備える手段としてコンピュータを機能させるプログラム。
【発明の詳細な説明】
【０００１】
【発明の属する技術分野】
本発明は、携帯電話などの携帯端末及びその携帯端末を用いて決済を行う決済システムに関する。
【０００２】
【従来の技術】
近年、携帯電話などの携帯端末の普及に伴い、購買活動を支援する機能を搭載した携帯端末が提案されている（例えば特許文献１及び特許文献２参照。）。
【０００３】
特許文献１の携帯端末は、ＥＣ（Ｅｌｅｃｔｒｏｎｉｃ  Ｃｏｍｍｅｒｃｅ）決済を可能とする携帯電話であって、クレジットカードに記録されている情報と同様の内容を有するカード情報を記憶しており、商品の購入時にユーザによる操作に応じてそのカード情報をＰＯＳ端末に送信する。
【０００４】
このような特許文献１の携帯端末を用いた決済方法では、まず、携帯端末のユーザが購入しようとする商品をレジ（受付）に提出する。各商品には商品価格などを示すバーコード情報がプリントされており、ＰＯＳ端末は、ユーザから提出された各商品に付されたそのバーコード情報を読み取ることで各商品の商品価格を特定し、合計金額を集計する。そして、ユーザによる操作に応じて、携帯端末は、自らが記憶しているカード情報をＰＯＳ端末に送信する。このカード情報を取得したＰＯＳ端末は、クレジットカードを用いた場合と同様、そのカード情報と上述のように集計した合計金額とをクレジット会社に通知する。その結果、クレジット会社において決済処理が行われる。
【０００５】
特許文献２の携帯端末は、インターネットを介して商品の割引に必要なクーポン情報を取得し、そのクーポン情報の内容を表示するものである。
【０００６】
このような特許文献２の携帯端末を用いた決済方法では、まず、ユーザは携帯端末をインターネットに接続してクーポン情報をその携帯端末に予めダウンロードしておく。そして、ユーザが購入しようとする商品をレジ（受付）に提出するときには、そのダウンロードされたクーポン情報の内容を店員に提示する。その結果、クーポン情報に対応する商品に対しては割引された価格で決済処理が行われる。
【０００７】
【特許文献１】
特開２００２−９９８５８号公報（全文）
【０００８】
【特許文献２】
特開２００２−２３６８４２号公報（全文）
【０００９】
【発明が解決しようとする課題】
しかしながら、特許文献１の携帯端末及びそれを用いた決済方法では、ユーザは購入しようとする商品が複数ある場合には、ＰＯＳ端末による商品の値段の集計時、つまり決済時になって初めてそれらの商品価格の合計金額を知ることとなり、購入しようとする商品を選んでいるときには、それらの商品価格の合計金額を知ることができず、ユーザにとって使い勝手が悪いという問題がある。
【００１０】
また、特許文献２の携帯端末及びそれを用いた決済方法では、上述と同様、ユーザは購入しようとする商品を選んでいるときには、それらの商品価格の合計金額を知ることができず、ユーザにとって使い勝手が悪いという問題があるとともに、ユーザが商品に対して割引を受けるためには、クーポン情報の内容を提示しなければならず、割引というサービスを受けるときにおいてもユーザにとって使い勝手が悪いといった問題がある。
【００１１】
そこで、本発明は、かかる問題点に鑑み、購買活動時におけるユーザに対する利便性を向上した携帯端末及びそれを用いた決済システムを提供することを目的とする。
【００１２】
【課題を解決するための手段】
上記目的を達成するために、本発明に係る携帯端末は、商品とその値段とを示す内容の商品情報を外部から取得する商品情報取得手段と、前記商品に関する情報を記憶するための領域を有する記憶手段と、前記商品情報取得手段により取得された前記商品情報に示される商品及びその値段を特定し、ユーザによる操作に応じて前記特定結果を前記記憶手段に登録する特定登録手段と、前記記憶手段に登録されている商品の値段について計算を行う計算手段と、前記計算手段により計算された金額を表示する表示手段と、前記記憶手段に登録されている商品の値段に基づいて、電子商取引を行うための決済情報を作成してこれを送信する決済手段とを備えることを特徴とする。ここで、例えば、前記商品は棚に陳列されており、前記商品情報取得手段は、前記棚に取り付けられた送信機から無線通信媒体を介して送信される前記商品情報を取得する。また、例えば、前記計算手段は、前記記憶手段に登録されている商品の値段を積算する。
【００１３】
これにより、前記商品情報が取得されてその商品情報により示される商品のうちユーザの所望の商品に対する決済情報が送信されるため、ユーザは本携帯端末を用いて容易に決済を行うことができるとともに、その所望の商品に対して計算された金額が表示されるため、ユーザは決済前にその表示を見て金額を確認しながら購買活動を行うことができ、購買活動時におけるユーザに対する利便性を向上することができる。
【００１４】
さらに、前記表示手段は、前記記憶手段に登録されている商品及びその値段を表示することを特徴としても良い。
【００１５】
これにより、決済の対象となる商品とその値段とが前記表示手段に表示されるため、ユーザはその表示を見て商品を確認しながら購買活動を行うことができ、さらに利便性を向上することができる。
【００１６】
また、前記携帯端末は、さらに、所定の商品に対する割引額を示す内容の割引情報を前記携帯端末の外部から取得して保持する割引情報保持手段と、前記商品情報取得手段で取得された商品情報により示される商品が、前記割引情報保持手段により保持される割引情報に対応する商品であるか否かを判別する割引判別手段とを備え、前記特定登録手段は、前記割引判別手段により前記商品情報の商品が前記割引情報に対応する商品であると判別されたときには、前記商品情報に示される商品の値段から、前記割引情報に示される割引額を減算し、前記減算結果を前記商品の値段として特定することを特徴としても良い。
【００１７】
これにより、ユーザは前記割引情報保持手段に割引情報を保持させておけば、前記商品情報取得手段で取得された商品情報に示される商品が割引対象の商品であれば、その商品に対しては割引された値段が特定されて決済情報に含まれるため、従来例のようにその割引情報の内容を店員に提示するような手間を省いて、ユーザに対する利便性をさらに向上することができる。
【００１８】
ここで、前記携帯端末は、さらに、前記計算手段により計算された金額と、前記特定登録手段により特定されて前記記憶手段に未登録の値段とを加算した加算額が、所定の額以下であるか否かを判定し、前記判定結果を前記表示手段に表示させる上限判定手段を備えることを特徴としても良い。
【００１９】
これにより、前記所定の額をユーザの予算額としておけば、前記商品情報により示される商品を購入することにより決済される額が予算額を超えるか否かが表示されるため、ユーザは安心して購買活動を行うことができる。
【００２０】
また、前記表示手段は、前記商品情報取得手段により取得された前記商品情報に含まれる内容を表示することを特徴としても良い。ここで、前記商品情報には、複数の商品の値段が含まれており、前記特定登録手段は、前記商品情報取得手段により取得された商品情報に示される複数の商品の中から、ユーザによる操作に応じて何れかの商品を選定し、前記選定結果に対応する商品及びその値段を特定することを特徴としても良い。
【００２１】
これにより、例えば飲食店のメニューなどが表示部に表示されるため、ユーザはそのメニューの中から容易に商品を選定して決済することができる。
【００２２】
なお、本発明は、上記携帯端末を用いた決済システムや決済方法、又は上記携帯端末のプログラムとしても実現することができる。
【００２３】
【発明の実施の形態】
（実施の形態１）
以下、本発明の第１の実施の形態における携帯端末及びそれを用いた決済システムについて図面を参照しながら説明する。
【００２４】
図１は、本発明の第１の実施の形態における携帯端末を用いた決済システムの構成を示すシステム構成図である。
【００２５】
この決済システムは、例えばスーパーマーケットなどの店舗内で顧客として購買活動を行う携帯端末のユーザに対する利便性を向上したものであって、ＥＣ（Ｅｌｅｃｔｒｏｎｉｃ  Ｃｏｍｍｅｒｃｅ）決済可能な上記携帯端末たる携帯電話１００と、店舗内に配設されてその店舗の案内に関する内容の案内情報２１を送信する案内装置２０と、店舗内に配設されたＰＯＳ端末３０と、その店舗の各陳列棚に取着された発信機１０とを備えている。
【００２６】
案内装置２０は、店舗内に入店してきたユーザによって携帯される携帯電話１００に対して、例えばＩｒＤＡ（Ｉｎｆｒａｒｅｄ  Ｄａｔａ  Ａｓｓｏｃｉａｔｉｏｎ）の規格に準じて上述の案内情報２１を送信する。
【００２７】
ＰＯＳ端末３０は、例えばＩｒＤＡの規格に準じた通信を行うための通信ポート３１を備えると共に、インターネット９００を介して決済会社９９０（決済会社内の端末）と接続しており、携帯電話１００から後述する決済情報１１０ａを通信ポート３１で取得すると、その決済情報１１０ａに基づいて決済会社９９０に対して決済処理を行わせる。
【００２８】
発信機１０は、自らが取り付けられた陳列棚に陳列される商品に関する内容の商品情報１０ａを、例えばＩｒＤＡの規格に準じて送信する。
【００２９】
携帯電話１００は、案内装置２０から送信された案内情報２１を取得すると、その案内情報２１に示される内容を表示する。さらに、携帯電話１００は、発信機１０から商品情報１０ａを取得すると、その商品情報１０ａにより示される商品の値段などを表示する。また、この携帯電話１００は、購入商品として決定された商品に関する情報を記憶しており、購入商品として決定された全ての商品の合計金額を表示するとともに、その記憶している情報に基づいてＥＣ決済を行わせるための決済情報１１０ａを作成し、その決済情報１１０ａをＰＯＳ端末３０に送信する。
【００３０】
このような決済システムでは、まずユーザが携帯電話１００を携帯して店舗内に入店すると、その携帯電話１００は案内装置２０から案内情報２１を取得して、その案内情報２１に示される内容を表示する。そして、ユーザは、携帯電話１００に表示された内容を手がかりに、購入しようとする商品が陳列されている陳列棚に向かい、携帯電話１００をその陳列棚に取り付けられている発信機１０に差し向ける。その結果、携帯電話１００は、発信機１０から商品情報１０ａを取得する。ここで、ユーザがその商品を購入商品として買い物カゴなどに入れるときには、ユーザは携帯電話１００に対して所定の操作を行う。この操作に基づいて、携帯電話１００は、その商品を購入商品として決定し、その商品に関する情報を記憶する。そして、ユーザは、上述のような携帯電話１００に対する操作を、購入しようとする商品のそれぞれに対して繰り返し行った後、ＰＯＳ端末３０に近づいて携帯電話１００をそのＰＯＳ端末３０の通信ポート３１に差し向けて携帯電話１００を操作する。その結果、携帯電話１００は、上述のような決済情報１１０ａを作成してこれをＰＯＳ端末３０に送信する。これにより、決済処理が行われる。
【００３１】
ここで、本実施の形態における携帯電話１００について詳細に説明する。
図２は、携帯電話１００の内部構成を示す内部構成図である。
【００３２】
携帯電話１００は、近距離データ通信を行う送受信部１０１と、割引情報１０５ａを記憶するための割引情報記憶部１０５と、携帯電話１００のユーザが購入しようとする商品が割引対象の商品であるか否かを判定する判定部１０６と、購入商品の合計金額の上限額を設定する上限設定部１０７と、購入商品として決定された商品に関する内容を示す購買情報１０８ａを記憶するための購買情報記憶部１０８と、ＥＣ決済を行うにあたって必要な内容を含む個人情報１０９ａを記憶するための個人情報記憶部１０９と、上述の決済情報１１０ａを作成する決済情報作成部１１０と、ユーザを認証する認証部１１１と、案内装置２０から送信される案内情報２１を記憶するための案内情報記憶部１１２と、上記各部を制御する制御部１０２と、制御部１０２による制御に応じて図形や文字を表示する表示部１０３と、ダイヤルボタンなどを具備してそのボタン操作に応じた操作信号を制御部１０２に出力する操作部１０４とを備えている。
【００３３】
ここで送受信部１０１は、ＩｒＤＡの規格に準じた赤外線通信を行う。
【００３４】
割引情報記憶部１０５に保存される割引情報１０５ａは、携帯電話１００が店舗内に持ち込まれる前に、インターネット９００を介して所定のサーバからダウンロードされたものである。例えば、携帯電話１００は、その所定のサーバに直接アクセスしてその割引情報１０５ａをダウンロードしたり、一旦パーソナルコンピュータにダウンロードされた割引情報１０５ａを、そのパーソナルコンピュータから取得したりする。そして、制御部１０２は、そのダウンロードされた割引情報１０５ａを割引情報記憶部１０５に格納する。
【００３５】
図３は、割引情報１０５ａに含まれる内容を示すデータ内容表示図である。
割引情報１０５ａには、割引の対象となる商品の名称が格納される商品名欄Ｊ１と、その商品に対して割り当てられた商品識別情報が格納される商品ＩＤ欄Ｊ２と、その商品に対する割引額が格納される割引額欄Ｊ３とがある。
【００３６】
例えば、図３に示す割引情報１０５ａの商品名欄Ｊ１には、商品名「牛乳」が格納され、商品ＩＤ欄Ｊ２には商品識別情報「Ｉ１２３６５４Ｄ」が格納され、割引額欄Ｊ３には割引額「５０円」が格納されている。
【００３７】
携帯電話１００の制御部１０２は、携帯電話１００が店舗内に持ち込まれることにより、送受信部１０１を介して案内装置２０から案内情報２１を取得すると、その案内情報２１を案内情報記憶部１１２に保存する。
【００３８】
ここで案内情報２１は、店舗内の地図を示す内容の地図情報２１ａと、店舗内の各商品を紹介する内容の商品紹介情報２１ｂとからなる。
【００３９】
図４は、商品紹介情報２１ｂに含まれる内容を示すデータ内容表示図である。商品紹介情報２１ｂには、陳列棚の名称が格納される陳列棚欄Ａ１と、その陳列棚に陳列される商品の名称が格納される商品名欄Ａ２と、その商品の値段が格納される値段欄Ａ３と、その商品の購入に対してユーザに付与されるポイント数が格納されるポイント欄Ａ４と、その商品に対する紹介文が格納される紹介文欄Ａ５と、その商品がお勧めの商品であることを示すオススメ情報が格納されるオススメ欄Ａ６とがある。
【００４０】
例えば図４に示す商品紹介情報２１ｂの陳列棚欄Ａ１には、陳列棚の名称「Ａ棚」、「Ｂ棚」、「Ｃ棚」などが格納されており、商品名欄Ａ２には、名称「Ａ棚」に関連付けて商品名「北海道産じゃがいも」が格納され、値段欄Ａ３には、名称「Ａ棚」に関連付けて値段「３００円」が格納され、ポイント欄Ａ４には、名称「Ａ棚」に関連付けてポイント数「２」が格納され、紹介文欄Ａ５には、名称「Ａ棚」に関連付けて紹介文「新鮮なじゃがいも」が格納されている。また、陳列棚欄Ａ１の名称「Ｃ棚」及び名称「Ｄ棚」に関連付けられたオススメ欄Ａ６にはオススメ情報「○」が格納されている。
【００４１】
このような案内情報２１を取得した携帯電話１００の制御部１０２は、上述のようにその案内情報２１を案内情報記憶部１１２に保存するとともに、案内情報２１に含まれる地図情報２１ａ及び商品紹介情報２１ｂのそれぞれの内容を表示部１０３に表示させる。
【００４２】
図５は、制御部１０２が地図情報２１ａに基づいて表示部１０３に店舗内の地図を表示させたときの表示部１０３の画面の一例を示す画面表示図である。
【００４３】
この図５に示すように、制御部１０２は、店舗の出入口、レジ、Ａ棚、Ｂ棚、…などの位置を表示部１０３に表示させる。なお、図５中、Ａで示す部分はＡ棚を示し、Ｂで示す部分はＢ棚を示す。
【００４４】
さらに制御部１０２は、商品紹介情報２１ｂのオススメ欄Ａ６にオススメ情報が格納されているときには、そのオススメ情報に関連付けられた陳列棚に対して文字「オススメ」を表示させる。例えば、図４に示す商品紹介情報２１ｂのオススメ欄Ａ６には、陳列棚の名称「Ｃ棚」と商品名「にんじん」に関連付けてオススメ情報「○」が格納されているので、制御部１０２は、陳列棚の名称「Ｃ棚」に対して文字「オススメ」を表示させる。
【００４５】
また、制御部１０２は、操作部１０４のボタン操作に応じた陳列棚の部分を網掛け表示さる。そして、ユーザが例えばＡ棚を網掛け表示させてこれを選択するように操作部１０４のボタンを操作すると、制御部１０２は、Ａ棚に陳列されている商品に関する情報を表示部１０３に表示させる。つまり、制御部１０２は、案内情報記憶部１１２の商品紹介情報２１ｂを読み出して、その商品紹介情報２１ｂに含まれる少なくともその選択されたＡ棚に関する情報の内容を表示部１０３に表示させる。
【００４６】
図６は、商品紹介情報２１ｂに含まれる内容が表示部１０３に表示された画面の一例を示す画面表示図である。
【００４７】
制御部１０２は、上述のように地図を表示させていたときに、操作部１０４の操作によって例えばＡ棚が選択されると、図６に示すように、Ａ棚に陳列されている商品に関する情報を表示部１０３に表示させるとともに、表示部１０３に表示される範囲内で、他の陳列棚に陳列されている商品に関する情報も表示部１０３に表示させる。また、制御部１０２は、操作部１０４の操作に応じて、このような商品に関する情報をスクロール表示させる。
【００４８】
ここで、Ａ棚に陳列されている商品に関する情報は、陳列棚の名称「Ａ棚」と、そのＡ棚に陳列されている商品の名称「北海道産じゃがいも」と、その商品の値段「３００円」と、その商品の購入に対してユーザに付与されるポイント数「２」と、その商品を紹介する紹介文「新鮮なじゃがいも」とからなる。
【００４９】
また、制御部１０２は、上述と同様、商品紹介情報２１ｂのオススメ欄Ａ６にオススメ情報が格納されているときには、そのオススメ情報に関連付けられた陳列棚に対して文字「オススメ」を表示させる。
【００５０】
そして、「地図」という文字が記された地図ボタンが、ユーザによる操作部１０４の操作に応じて選択されると、制御部１０２は店舗内の地図を再び表示部１０３に表示させる。
【００５１】
このように、本実施の形態では、携帯電話１００の表示部１０３に、店舗に陳列されている各商品に関する情報と、各商品の陳列されている場所とが表示されるため、携帯電話１００のユーザは、目的とする商品を容易に探し出すことができる。
【００５２】
さらに、携帯電話１００の制御部１０２は、送受信部１０１を介して発信機１０から商品情報１０ａを取得すると、その商品情報１０ａにより示される商品が割引対象の商品であるか否かを判定部１０６に判定させる。
【００５３】
図７は、商品情報１０ａに含まれる内容を示すデータ内容表示図である。
商品情報１０ａには、発信機１０が取着された陳列棚に陳列されている商品の名称が格納される商品名欄Ｂ１と、その商品を識別するためにその商品に割り当てられた商品識別情報が格納される商品ＩＤ欄Ｂ２と、その商品の値段が格納される値段欄Ｂ３と、その陳列棚の名称が格納される陳列棚欄Ｂ４と、その商品の購入に対してユーザに付与されるポイント数が格納されるポイント欄Ｂ５とがある。
【００５４】
例えば、この図７に示す商品情報１０ａの商品名欄Ｂ１には、商品名「牛乳」が格納され、商品ＩＤ欄Ｂ２には商品識別情報「Ｉ１２３６５４Ｄ」が格納され、値段欄Ｂ３には値段「１５０円」が格納され、陳列棚欄Ｂ４には陳列棚の名称「Ａ棚」が格納され、ポイント欄Ｂ５にはポイント数「１」が格納されている。
【００５５】
判定部１０６は、送受信部１０１及び制御部１０２を介して上述のような商品情報１０ａを取得すると、その商品情報１０ａに含まれる商品識別情報と同一の商品識別情報を含む割引情報１０５ａが、割引情報記憶部１０５に登録されているか否かを判別し、登録されていれば、その商品情報１０ａにより示される商品が割引対象の商品であると判定し、登録されていなければ、その商品情報１０ａにより示される商品が割引対象の商品でないと判定する。そして、判定部１０６は、その判定結果を制御部１０２に通知するとともに、割引対象の商品であると判定したときには、その判定に用いた割引情報１０５ａを制御部１０２に出力する。
【００５６】
例えば判定部１０６は、図７に示す商品情報１０ａを取得すると、その商品情報１０ａの商品ＩＤ欄Ｂ２に格納される商品識別情報「Ｉ１２３６５４Ｄ」と同一の商品識別情報を含む割引情報１０５ａが、割引情報記憶部１０５に登録されているか否かを判別する。そして判定部１０６は、割引情報記憶部１０５に図３に示す割引情報１０５ａが登録されていれば、その割引情報１０５ａの商品ＩＤ欄Ｊ２には上記商品識別情報と同一の商品識別情報「Ｉ１２３６５４Ｄ」が格納されているので、その商品情報１０ａにより示される商品「牛乳」が割引対象の商品であると判定し、その判定結果とその割引情報１０５ａを制御部１０２に出力する。
【００５７】
制御部１０２は、判定部１０６からの判定結果の通知により、商品情報１０ａにより示される商品が割引対象の商品であるか否かを把握するとともに、割引対象の商品でないと把握した場合には、商品情報１０ａの値段欄Ｂ３に格納されている値段を、その商品の値段として特定し、割引対象の商品であると把握した場合には、商品情報１０ａの値段欄Ｂ３に格納されている値段から、割引情報１０５ａの割引額欄Ｊ３に格納されている値段を差し引いた額を、その商品の値段として特定する。
【００５８】
例えば、図７に示す商品情報１０ａの値段欄Ｂ３に、商品「牛乳」の値段「１５０円」が格納され、判定部１０６から出力された割引情報１０５ａの割引額欄Ｊ３に、割引額「５０円」が格納されているときには、制御部１０２は、上記値段から割引額を差し引いた額「１００円」を、その商品情報１０ａに示される商品「牛乳」の値段として特定する。
【００５９】
また、携帯電話１００の制御部１０２は、発信機１０から取得した商品情報１０ａにより示される商品が購入された場合に、全ての購入商品の合計金額が上限設定部１０７で設定された上限額以下であるか否かを、上述のように特定された商品の値段と購買情報１０８ａとに基づいて判別する。また、このような上限額は、ユーザによる操作部１０４の操作によって上限設定部１０７に設定されている。
【００６０】
図８は、購買情報１０８ａに含まれる内容を示すデータ内容表示図である。
購買情報１０８ａには、購入商品として決定された商品の名称が格納される商品名欄Ｃ１と、その商品に対して割り当てられた商品識別情報が格納される商品ＩＤ欄Ｃ２と、その商品の値段が格納される値段欄Ｃ３と、その商品の個数が格納される個数欄Ｃ４と、その商品の購入に対してユーザに付与されるポイント数が格納されるポイント欄Ｃ５とがある。ここで、購買情報１０８ａの値段欄Ｃ３には、商品情報１０ａ及び割引情報１０５ａの内容に基づいて上述のように割引を考慮して特定された値段が格納されている。
【００６１】
例えば図８に示す購買情報１０８ａの商品名欄Ｃ１には、商品名「北海道産じゃがいも」や商品名「マウスシチューの素」が格納され、商品ＩＤ欄Ｃ２には商品名「北海道産じゃがいも」に関連付けて商品識別情報「Ｉ１２３６５５Ｄ」が格納され、値段欄Ｃ３には商品名「北海道産じゃがいも」に関連付けて値段「３００」が格納され、個数欄Ｃ４には商品名「北海道産じゃがいも」に関連付けて個数「２」が格納され、ポイント数欄Ｃ５には商品名「北海道産じゃがいも」に関連付けてポイント数「２」が格納されている。
【００６２】
制御部１０２は、購買情報記憶部１０８に登録されている上述のような購買情報１０８ａと、上限設定部１０７に設定されている上限額とを読み出す。そして制御部１０２は、その購買情報１０８ａの値段欄Ｃ３に格納されている各値段のそれぞれに対して、個数欄Ｃ４に格納されている個数を掛け合わせてこれらを積算し、さらにその積算結果に対して、商品情報１０ａにより示される商品の上述のように割引を考慮して特定された値段を積算して、その積算額が上限額以下であるか否かを判別する。
【００６３】
例えば、ユーザが上限額を「１１００円」として上限設定部１０７に設定し、いずれの商品も購入商品として決定されていないときに、制御部１０２が図７に示す商品情報１０ａを取得したような場合には、購買情報１０８ａの値段欄Ｃ３には値段が格納されておらず、商品情報１０ａに示される商品「牛乳」の値段は割引されて「１００円」と特定されるため、制御部１０２は、その商品「牛乳」を購入しても積算額は上限額以下であると判別する。一方、図８に示すように、商品「北海道産じゃがいも」、「マウスシチューの素」、及び「にんじん３本」が購入商品として既に決定され、その結果が購買情報１０８ａに登録されているときに、制御部１０２が図７に示す商品情報１０ａを取得したような場合には、制御部１０２は、購買情報１０８ａの値段欄Ｃ３に格納されている値段と個数との積「３００円×２個」及び「２２０円×１個」並びに「２５０円×１個」と、商品情報１０ａにより示される商品「牛乳」の割引後の値段「１００円」とを積算し、その積算額が上限額「１１００円」を上回る「１１７０円」となるので、その商品「牛乳」が購入商品として決定された場合には、積算額が上限額を超えてしまうと判別する。
【００６４】
そして制御部１０２は、積算額が上限額以下であると判別したときには、商品情報１０ａに示される内容を表示部１０３に表示させ、積算額が上限額を超えると判別したときには、商品情報１０ａに示される内容と、超過金額とを表示部１０３に表示させる。例えば、上述の例では制御部１０２は超過金額として「７０円」を表示部１０３に表示させる。また、制御部１０２は、商品情報１０ａに示される内容を表示部１０３に表示させるときには、商品情報１０ａの商品名欄Ｂ１に格納される商品名と、その商品に対して割引を考慮して特定された値段と、ポイント欄Ｂ５に格納されるポイント数とを表示させる。
【００６５】
図９は、制御部１０２が商品の値段などを表示部１０３に表示させたときの画面の一例を示す画面表示図である。
【００６６】
Ａ棚の発信機１０から送信された商品「牛乳」に関する商品情報１０ａを制御部１０２が取得したときには、図９（ａ）に示すように、制御部１０２は、取得した商品情報１０ａに基づいて、商品の名称「牛乳」と、割引額「５０円」と、割引して特定された牛乳の値段「１００円」と、ポイント数「１ポイント」と、超過金額「７０円」と、商品「牛乳」を購入商品として決定する場合には操作部１０４の「１」と記されたボタンを押すように指示するメッセージとを、表示部１０３に表示させる。
【００６７】
また、Ｃ棚の発信機１０から送信された商品「にんじん」に関する商品情報１０ａを制御部１０２が取得したときには、図９（ｂ）に示すように、制御部１０２は、取得した商品情報１０ａに基づいて、商品の名称「にんじん」と、その商品が１本のときの値段「１００円」及びポイント数「０．３ポイント」と、その商品が３本のときの値段「２５０円」及びポイント数「１ポイント」と、商品「にんじん」を１本だけ購入商品として決定する場合には操作部１０４の「１」と記されたボタンを押すように指示するメッセージと、商品「にんじん」を３本だけ購入商品として決定する場合には操作部１０４の「３」と記されたボタンを押すように指示するメッセージとを、表示部１０３に表示させる。
【００６８】
このように、本実施の形態では、商品情報１０ａに示される商品が購入商品として決定される前に、その商品を購入することで上限額を超えてしまうか否かが表示されるため、ユーザに対する利便性を向上することができる。また、商品情報１０ａに示される商品が割引対象の商品であるか否かが判定部１０６により判定され、割引対象の商品である場合には、割引後の値段が表示部１０３に表示されるため、ユーザは割引対象の商品に対して割引後の値段を容易に把握することができる。
【００６９】
さらに、携帯電話１００の制御部１０２は、商品情報１０ａにより示される商品を購入商品として決定するように指示する内容の操作信号を操作部１０４から取得したときには、その商品情報１０ａにより示される内容を購買情報１０８ａに登録し、その購買情報１０８ａの内容を表示部１０３に表示させる。
【００７０】
制御部１０２は、商品情報１０ａにより示される内容を購買情報１０８ａに登録するときには、商品情報１０ａの商品名欄Ｂ１に格納される商品名と、商品情報１０ａの商品ＩＤ欄Ｂ２に格納される商品識別情報と、その商品に対して割引を考慮して特定された値段と、その商品の個数と、商品情報１０ａのポイント欄Ｂ５に格納されるポイント数とを購買情報１０８ａに登録する。
【００７１】
図１０は、制御部１０２が購買情報１０８ａの内容を表示部１０３に表示させたときの画面の一例を示す画面表示図である。
【００７２】
制御部１０２は、購買情報１０８ａに含まれる商品名「北海道産じゃがいも」、「マウスシチューの素」、及び「にんじん３本」と、そのそれぞれの商品の値段「３００円」、「２２０円」、及び「２５０円」と、それぞれの商品の個数「２個」、「１個」、及び「１個」と、それぞれの商品の購入に対して付与されるポイント数「２ポイント」、「１ポイント」、及び「１ポイント」とを表示部１０３に表示させる。なお、表示される値段は商品１つ当たり値段であり、表示されるポイント数は商品１つ当たりのポイント数である。また、商品「にんじん」は３本で「１個」として扱われる。
【００７３】
さらに、制御部１０２は、その各値段及び個数から積算して求められた合計金額「１０７０円」と、その各ポイント数及び個数から積算して求められた合計ポイント数「６ポイント」と、その合計ポイント数に対して、過去に累積して記憶しているポイント数を足し合わせて求められた累積ポイント数「１５．５ポイント」と、ショッピングを続ける場合には「０」と記されたボタンを押すように指示する内容のメッセージと、ＥＣ決済を行う場合には「＃」と記されたボタンを押すように指示する内容のメッセージとを表示させる。
【００７４】
このように、本実施の形態では、決済前に携帯電話１００の表示部１０３に、購入商品の値段の積算額（合計金額）が表示されるため、ユーザは購入商品を選びながら逐次それらの合計金額を容易に把握することができ、ユーザに対する利便性を向上することができる。また、購入商品のリストも表示部１０３に表示されるため、ユーザは購入商品を確認しながら購買活動を行うことができる。
【００７５】
また、携帯電話１００の制御部１０２は、ユーザによる操作部１０４の操作に応じて、購買情報１０８ａにより示される内容を、図１０に示すように表示部１０３に表示させる。
【００７６】
ここで、携帯電話１００の制御部１０２は、ＥＣ決済するように指示する内容の操作信号を操作部１０４から取得したときには、ユーザに対してＥＣ決済を行うにあたって必要なパスワードの入力を促すメッセージを表示部１０３に表示させる。そこで、操作部１０４からパスワードが入力されると、制御部１０２は、そのパスワードと個人情報記憶部１０９に保持される個人情報１０９ａとに基づいて、ユーザの認証を認証部１１１に実行させる。
【００７７】
図１１は、個人情報１０９ａに含まれる内容を示すデータ内容表示図である。この個人情報１０９ａには、ユーザを識別するためにそのユーザに割り当てられたユーザ識別情報が格納されるユーザＩＤ欄Ｄ１と、そのユーザの名前が格納される名前欄Ｄ２と、携帯電話１００の電話番号が格納される電話番号欄Ｄ３と、ＥＣ決済に必要なパスワードが格納されるパスワード欄Ｄ４とがある。
【００７８】
例えば図１１に示す個人情報１０９ａのユーザＩＤ欄Ｄ１には、ユーザ識別情報「Ｕ０１２３４」が格納され、名前欄Ｄ２には名前「田中太郎」が格納され、電話番号欄Ｄ３には電話番号「０９０１２３４９８７６」が格納され、パスワード欄Ｄ４にはパスワード「ＡＢ０５４３ＣＤ」が格納されている。
【００７９】
認証部１１１は、操作部１０４から入力されたパスワードが上述のような個人情報１０９ａに含まれるパスワードと一致するか否かを判別することにより、そのユーザの認証を行う。そして認証部１１１は、その認証結果を制御部１０２に通知する。
【００８０】
制御部１０２は、認証部１１１からの通知に基づいて、パスワードを入力したユーザが正規ユーザであると判別したときには、決済情報作成部１１０に決済情報１１０ａを作成させて、その決済情報１１０ａを送受信部１０１からＰＯＳ端末３０に送信させる。一方、制御部１０２は、パスワードを入力したユーザが不正なユーザであると判別したときには、決済情報作成部１１０が決済情報１１０ａを作成するのを禁止させる。
【００８１】
また、決済情報作成部１１０は、購買情報記憶部１０８に保存されている購買情報１０８ａと、個人情報記憶部１０９に保存されている個人情報１０９ａとから決済情報１１０ａを作成する。つまり、決済情報作成部１１０は、少なくとも、購買情報１０８ａに含まれる商品名と値段と個数と、個人情報１０９ａに含まれるパスワードとが含まれるように決済情報１１０ａを作成する。
【００８２】
このように、本実施の形態では、購買情報１０８ａに含まれる割引を考慮した値段に基づいて決済情報１１０ａが作成されてＰＯＳ端末３０に送信されるため、ユーザは従来例のようにクーポン情報を店員に提示するような行為を要することなく、割引のサービスを容易に受けることができる。
【００８３】
次に、このように構成される携帯電話１００の制御部１０２の一連の動作について、図１２を参照して説明する。
【００８４】
図１２は、携帯電話１００の制御部１０２の動作を示すフロー図である。
携帯電話１００がユーザによって店舗内に持ち込まれると、携帯電話１００の制御部１０２は、まず、案内装置２０からの案内情報２１を送受信部１０１を介して取得し、その案内情報２１を案内情報記憶部１１２に登録する（ステップＳ１００）。
【００８５】
そして制御部１０２は、その案内情報記憶部１１２に登録された案内情報２１に含まれる地図情報２１ａに基づいて、表示部１０３に店舗内の地図を表示させるとともに、案内情報２１に含まれる商品紹介情報２１ｂに基づいて、表示部１０３に商品を紹介する文章を表示させる（ステップＳ１０２）。
【００８６】
ユーザは、このような表示部１０３に表示される地図や商品の紹介文を見ることにより、好みの商品を容易に探すことができる。
【００８７】
次に、制御部１０２は、陳列棚に取着された発信機１０からの商品情報１０ａが送受信部１０１で受信されるのを待ち受ける状態となり（ステップＳ１０４）、商品情報１０ａが送受信部１０１で受信されたか否かを判別する（ステップＳ１０６）。
【００８８】
ここでユーザが、購入しようとする目的の商品が陳列された陳列棚に向かい、携帯電話１００の送受信部１０１を発信機１０に差し向けると、その発信機１０から送信される商品情報１０ａが送受信部１０１で受信される。
【００８９】
その結果、制御部１０２は、商品情報１０ａが送受信部１０１で受信されたと判別し（ステップＳ１０６のＹ）、その商品情報１０ａに基づいて、その商品が割引の対象となる商品であるか否かを判定部１０６に判定させる（ステップＳ１０８）。
【００９０】
制御部１０２は、判定部１０６の判定結果に基づいて、商品情報１０ａにより示される商品が割引対象の商品であると判別すると（ステップＳ１０８のＹ）、商品情報１０ａに示される値段と割引情報１０５ａに示される割引額とに基づいて、商品の割引された値段を特定する（ステップＳ１１０）。
【００９１】
また、制御部１０２は、判定部１０６の判定結果に基づいて、商品情報１０ａにより示される商品が割引対象の商品でないと判別すると（ステップＳ１０８のＮ）、商品情報１０ａにより示される値段そのものをその商品の値段として特定する（ステップＳ１１２）。
【００９２】
次に、制御部１０２は、購買情報１０８ａの内容に基づいて、上述のように特定された商品の値段と、これまでに購入商品として決定された各商品の値段との積算額が、上限設定部１０７により設定された上限額以下であるか否かを判別する（ステップＳ１１４）。
【００９３】
そして制御部１０２は、積算額が上限額以下であると判別したときには（ステップＳ１１４のＹ）、商品情報１０ａに示される商品に対して特定された値段を表示部１０３に表示させ（ステップＳ１１６）、積算額が上限額を超えると判別したときには、商品情報１０ａに示される商品に対して特定された値段と、超過金額とを表示部１０３に表示させる（ステップＳ１１８）。
【００９４】
次に制御部１０２は、表示部１０３に表示される商品を購入商品として決定するように指示する内容の操作信号が操作部１０４から出力されたか否かを判別する（ステップＳ１２０）。
【００９５】
ここで、表示部１０３に表示された値段などを見たユーザが、商品を購入しようと操作部１０４のボタンを押し操作すると、操作部１０４からはその商品を購入商品として決定するように指示する内容の操作信号が制御部１０２に出力される。
【００９６】
制御部１０２は、上記操作信号を取得すると、購入決定の指示があったと判別し（ステップＳ１２０のＹ）、商品情報１０ａに含まれる商品名、商品識別情報、及びポイント数と、その商品の個数と、ステップＳ１１０又はステップＳ１１２で特定された値段とを購買情報１０８ａに登録する（ステップＳ１２２）。
【００９７】
そして制御部１０２は、購買情報１０８ａに示される内容を表示部１０３に表示させる（ステップＳ１２４）。
【００９８】
次に、制御部１０２は、ＥＣ決済するように指示する内容の操作信号が操作部１０４から出力されたか否かを判別し（ステップＳ１２６）、その操作信号が出力されたと判別したときには（ステップＳ１２６のＹ）、さらに、操作部１０４から入力されたパスワードが個人情報１０９ａに含まれるパスワードと一致するか否かを認証部１１１に判定させる（ステップＳ１２８）。そして一致すると判定されたときには（ステップＳ１２８のＹ）、制御部１０２は、購買情報１０８ａ及び個人情報１０９ａに基づいて決済情報１１０ａを決済情報作成部１１０に作成させて、これを送受信部１０１からＰＯＳ端末３０に送信させることで、ＰＯＳ端末３０に接続された決済会社９９０に対して決済処理を実行させる（ステップＳ１３０）。
【００９９】
また、制御部１０２は、ステップＳ１０６で商品情報１０ａが受信されないと判別したときや（ステップＳ１０６のＮ）、ステップＳ１２０で購入決定の指示がないと判別したときや（ステップＳ１２０のＮ）、ステップＳ１２６で決済の指示がないと判別したときや（ステップＳ１２６のＮ）、ステップＳ１２８でパスワードが一致しないと判別したときには（ステップＳ１２８のＮ）、ステップＳ１０４からの動作を繰り返し実行する。
【０１００】
図１３は、本実施の形態の決済システムの全体的な動作を示すシーケンス図である。
まず、案内装置２０は、店舗内に持ち込まれた携帯電話１００に対して案内情報２１を送信する（ステップＳ２００）。
【０１０１】
この案内情報２１を取得した携帯電話１００は、その案内情報２１に含まれる地図情報２１ａ及び商品紹介情報２１ｂに基づいて店舗内の地図を表示させたり、店舗内の商品を紹介する紹介文を表示させたりする（ステップＳ２０２）。
【０１０２】
次に、商品を陳列する陳列棚に取着された発信機１０は、ユーザによって差し向けられた携帯電話１００に対して、その陳列棚に陳列された商品に関する商品情報１０ａを送信する（ステップＳ２０４）。
【０１０３】
商品情報１０ａを取得した携帯電話１００は、その商品情報１０ａに示される商品が割引対象の商品であるか否かの判定を行い（ステップＳ２０６）、さらにその商品を購入することによって上限額を超えてしまうか否かの判定を行う（ステップＳ２０８）。
【０１０４】
そして、携帯電話１００は、ユーザからの操作に応じて、その商品情報１０ａに示される商品を購入商品として決定して、その商品情報１０ａの内容を購買情報１０８ａに登録する（ステップＳ２１０）。さらに、携帯電話１００は、その購買情報１０８ａに含まれる内容を表示する（ステップＳ２１１）。
【０１０５】
このようなステップＳ２０４〜Ｓ２１１までの動作は、ユーザの購買行動に応じて繰り返し実行される。
【０１０６】
次に、携帯電話１００は、ユーザからの操作に応じて、ＥＣ決済のためのパスワードを取得すると、そのパスワードに基づいてユーザの認証を行い（ステップＳ２１２）、決済情報１１０ａをＰＯＳ端末３０に送信する（ステップＳ２１４）。
【０１０７】
この決済情報１１０ａを取得したＰＯＳ端末３０は、その決済情報１１０ａに基づいて決済会社９９０に対して決済処理を実行させる（ステップＳ２１６）。
【０１０８】
このように、本実施の形態では、購入商品として随時決定される商品のリストとその合計金額が表示されるため、ユーザはその表示を見てその内容を確認しながら購買活動を行うことができ、ユーザに対する利便性を向上することができる。
【０１０９】
なお、本発明は上記実施の形態に限定するものではない。例えば、本実施の形態では、携帯電話１００及びＰＯＳ端末３０並びに発信機１０に対して、赤外線を用いて通信させたが、他の通信方法、例えばＢｌｕｅｔｏｏｔｈ（「ザ  ブルートゥース  エスアイジー  インコーポレーテッド」の登録商標）により通信させても良い。また、発信機１０にＲＦＩＤタグを備えて、そのＲＦＩＤタグに含まれる商品情報１０ａを携帯電話１００に読み取らせても良い。
【０１１０】
また、本実施の形態では、パスワードを用いてユーザの認証を行ったが、指紋や虹彩を用いて認証を行っても良い。この場合には、個人情報１０９ａにはその指紋や虹彩を示すデータが含まれる。また、携帯電話１００は、入力されたパスワードが個人情報１０９ａのパスワードと一致しないと判定したときには、パスワードの再入力をユーザに求めても良い。この場合、その再入力は例えば３回まで可能としておく。
【０１１１】
さらに、本実施の形態では、携帯電話１００は割引情報１０５ａを所定のサーバにアクセスしてダウンロードすることにより取得したが、メールなどによる所謂ＰＵＳＨ型で配信された割引情報１０５ａを取得するようにしても良い。また、携帯電話１００は、有線通信手段やメモリカードなどにより割引情報１０５ａを取得しても良い。
【０１１２】
また、本実施の形態では、携帯電話１００の制御部１０２は、商品情報１０ａを取得するごとに、その商品情報１０ａに示される商品が購入商品として決定された場合における購入商品の合計金額が上限額を超えてしまうか否かを判別したが、商品情報１０ａを取得してその商品情報１０ａに示される商品が購入商品として決定された後、つまりその商品に関する情報が購買情報１０８ａに登録された後に、その購買情報１０８ａのみに基づいて購入商品の合計金額が上限額を超えてしまうか否かを判別しても良い。
【０１１３】
また、本実施の形態では、携帯電話１００に決済情報作成部１１０を備えたが、この決済情報作成部１１０を省いても良い。この場合にも、携帯電話１００は、上述と同様、購入商品として随時決定される商品のリストとその合計金額を表示するため、ユーザに対する利便性を向上することができる。
【０１１４】
また、本実施の形態では、携帯電話１００は、商品情報１０ａを取得してその商品情報１０ａに含まれる内容を購買情報１０８ａに登録したが、さらに、その商品情報１０ａにより示される商品が購入商品として決定されたことを示す内容の情報を、ＰＯＳ端末３０に送信しても良い。これにより、店員はＰＯＳ端末３０により顧客の購入しようとする商品を把握することができ、その商品をレジに予め運んでおくことができ、顧客が商品をレジに届けに行く手間を省くことができる。
【０１１５】
さらに、本実施の形態では、商品紹介情報２１ｂに商品識別情報を含めなかったが、商品紹介情報２１ｂに商品識別情報を含めてさらに、携帯電話１００の制御部１０２は、ユーザによる操作部１０４の操作に応じて、商品紹介情報２１ｂに含まれる所定の商品識別情報に対して所謂ブックマークを付しても良い。つまり、ユーザは、携帯電話１００に表示される商品紹介情報２１ｂの内容に基づいて目的とする陳列棚（商品）を選択すると、その商品の商品識別情報に対してブックマークが付される。そして制御部１０２は、そのブックマークが付された商品識別情報と同一の商品識別情報を含む商品情報１０ａを、送受信部１０１を介して取得したときには、携帯電話１００のスピーカから発信音を鳴らす。
【０１１６】
これにより、ユーザが店舗内を歩いているときに無意識にそのブックマークに対応する商品に近づいたときには、携帯電話１００から発信音が鳴るため、商品の買い忘れを防ぐことができる。
【０１１７】
なお、本実施の形態では、図５に示すように、陳列棚の位置を示す地図を携帯電話１００に表示させたが、この地図上に、購入商品として決定された商品が陳列されている陳列棚を、他の陳列棚と区別して表示させても良い。例えば、携帯電話１００の制御部１０２は、発信機１０からの商品情報１０ａに示される商品を、購入商品として決定するように指示する内容の操作信号を操作部１０４から取得すると、その商品情報１０ａに含まれる商品名及び商品識別情報並びに値段などとともに、商品情報１０ａに含まれる陳列棚の名称も購買情報１０８ａに登録する。そして、制御部１０２は、ユーザによる操作に応じて操作部１０４から出力される所定の操作信号に応じて、図５に示すような地図を表示部１０３に表示させるときには、上述の購買情報１０８ａに登録されている陳列棚の名称に対応する部分を網掛け表示で表示させたり、その部分に「済」の文字を表示させる。
【０１１８】
これにより、ユーザは買い物をしながら携帯電話１００の表示部１０３を見て、既に購入商品として決定され買い物カゴに入れられた商品の陳列棚を確認することができ、さらにユーザに対する利便性を向上することができる。
【０１１９】
（実施の形態２）
以下、本発明の第２の実施の形態における携帯端末及びそれを用いた決済システムについて図面を参照しながら説明する。
【０１２０】
図１４は、本発明の第２の実施の形態における携帯端末を用いた決済システムの構成を示すシステム構成図である。
【０１２１】
この決済システムは、飲食店内で顧客として購買活動（注文活動）を行う携帯端末のユーザに対する利便性を向上したものであって、ＥＣ決済を可能とするとともに、注文を示す内容のオーダー情報を送信する上記携帯端末たる携帯電話１Ａ，２Ａ，１Ｂ，２Ｂ，３Ｂと、飲食店の配膳係を務める店員によって携帯される店員用携帯電話５０と、飲食店に配設されたＰＯＳ端末４０及び厨房端末６０と、飲食店のＡテーブルに取り付けられ、飲食店のメニューを示す内容のメニュー情報を送信するとともに上記オーダー情報を受信するＡ送受信機７１と、Ｂテーブルに取り付けられ、飲食店のメニューを示す内容のメニュー情報を送信するとともに上記オーダー情報を受信するＢ送受信機７２とから構成される。
【０１２２】
ここで、本実施の形態では、携帯電話１Ａと携帯電話２Ａのユーザである顧客が１つのグループとしてＡテーブルに向かって着席し、携帯電話１Ｂと携帯電話２Ｂと携帯電話３Ｂのユーザである顧客が１つのグループとしてＢテーブルに向かって着席した場合を例に挙げて説明する。また、携帯電話１Ａ，２Ａ，１Ｂ，２Ｂ，３Ｂはそれぞれ同一の機能及び構成を有するとともに、Ａ送受信機７１及びＢ送受信機７２はそれぞれ同一の機能及び構成を有するため、本実施の形態では、主に携帯電話１Ａ，２Ａ及びＡ送受信機７１について説明する。
【０１２３】
図１５は、ＰＯＳ端末４０と厨房端末６０と店員用携帯電話５０とＡ送受信機７１と携帯電話１Ａ，２Ａとの間で情報が送受信される様子を示す状態図である。
【０１２４】
ＰＯＳ端末４０は、例えばＩｒＤＡの規格に準じた通信を行うための通信ポート４１を備えると共に、インターネット９０１を介して決済会社９９１（決済会社内の端末）と接続しており、携帯電話１Ａから後述する決済情報２１０ａを通信ポート４１で取得すると、その決済情報２１０ａに基づいて決済会社９９１に対して決済処理を行わせる。
【０１２５】
厨房端末６０は、Ａ送受信機７１及びＢ送受信機７２に接続されており、Ａ送受信機７１及びＢ送受信機７２の何れかから上述のオーダー情報２１２ａを取得するごとに、そのオーダー情報２１２ａに含まれる内容をオーダーリスト情報６１に登録して、そのオーダーリスト情報６１を店員用携帯電話５０に送信するとともに、そのオーダーリスト情報６１の内容をオーダー表として表示する。また、厨房端末６０は、Ａ送受信機７１及びＢ送受信機７２から、注文された商品に対して配膳が完了されたことを示す内容の配膳完了情報５０ａを取得したときには、その配膳完了情報５０ａの内容に応じてオーダーリスト情報６１の内容を更新する。
【０１２６】
図１６は、オーダー表を表示する厨房端末６０の画面の一例を示す画面表示図である。
この図１６に示すように、厨房端末６０はオーダー表を表示する。そのオーダー表には、Ａテーブルから注文された商品名と、その個数と、注文があった時刻とが表示されるとともに、Ｂテーブルから注文された商品名と、その個数と、注文があった時刻とが表示される。そして、厨房端末６０は、取得した配膳完了情報５０ａに基づいて、配膳が完了した商品を網掛けして表示させる。
【０１２７】
これにより、飲食店の厨房で調理を行う調理者は、そのオーダー表を見ることにより、各テーブルから注文があった商品を容易に知ることができる。
【０１２８】
店員用携帯電話５０は、オーダーリスト情報６１を取得すると、そのオーダーリスト情報６１に示される内容を、携帯用オーダー表として表示する。
【０１２９】
これにより、飲食店の配膳係の店員は、その店員用携帯電話５０の表示を見ることにより、各テーブルから注文があった商品を容易に知ることができる。
【０１３０】
また、店員用携帯電話５０は、店員の操作に応じて上述の配膳完了情報５０ａを、Ａ送受信機７１及びＢ送受信機７２の何れかに送信する。例えば、店員がＡテーブルから注文のあった商品をＡテーブルに届けると、携帯している店員用携帯電話５０をＡ送受信機７１に向けて操作する。その操作により、店員用携帯電話５０は配膳完了情報５０ａをＡテーブルのＡ送受信機７１に送信する。
【０１３１】
Ａ送受信機７１は、Ａテーブルの顧客が携帯する携帯電話１Ａからオーダー情報２１２ａを取得すると、そのオーダー情報２１２ａを厨房端末６０に送信すると共に、同じＡテーブルの他の顧客が携帯する携帯電話２Ａに対して、同一グループのメンバーによってされた注文を知らせる内容のメンバーオーダー情報７１ａを送信する。これと同様に、Ａ送受信機７１は、携帯電話２Ａからオーダー情報２１２ａを取得すると、携帯電話１Ａに対してメンバーオーダー情報７１ａを送信する。また、Ａ送受信機７１は、店員用携帯電話５０から配膳完了情報５０ａを取得すると、その配膳完了情報５０ａを厨房端末６０及び携帯電話１Ａ，２Ａに送信する。
【０１３２】
携帯電話１Ａ，２Ａは、Ａ送受信機７１から上述のメニュー情報２０６ａを取得して、そのメニュー情報２０６ａに示されるメニューを表示すると共に、ユーザの操作に応じて、そのメニューの中から商品が選定されると、その商品を注文することを示す内容のオーダー情報２１２ａをＡ送受信機７１に送信する。また、携帯電話１Ａ，２Ａは、上述のように注文した商品を記憶しており、その記憶している注文履歴を表示する。さらに、携帯電話１Ａ，２Ａは、Ａ送受信機７１から配膳完了情報５０ａを取得したときには、その配膳完了情報５０ａに基づいて、注文した商品が配膳されたことを記憶するとともに、メンバーオーダー情報７１ａを取得したときには、そのメンバーオーダー情報７１ａに示される商品が他のメンバーの携帯電話２Ａ，１Ａから注文されたことを、注文履歴として記憶する。
【０１３３】
そして、このような携帯電話１Ａ，２Ａを携帯するユーザは、オーダー情報２１２ａを送信させるような携帯電話１Ａ，２Ａに対する操作を、注文しようとする商品のそれぞれに対して繰り返し行った後、ＰＯＳ端末４０に近づいて携帯電話１Ａ，２ＡをそのＰＯＳ端末４０の通信ポート４１に差し向けて携帯電話１Ａ，２Ａを操作する。その結果、携帯電話１Ａ，２Ａは、注文履歴を基に、ＥＣ決済を行わせるための決済情報２１０ａを作成してこれをＰＯＳ端末４０に送信する。これにより、決済処理が行われる。
【０１３４】
ここで、携帯電話１Ａの構成について詳細に説明する。なお、携帯電話２Ａも携帯電話１Ａと同様の構成を有する。
【０１３５】
図１７は、携帯電話１Ａの内部構成を示す構成図である。
携帯電話１Ａは、近距離データ通信を行う送受信部２０１と、店舗内の所定のテーブルに割り当てられたテーブル識別情報を記憶するためのテーブルＩＤ記憶部２０５と、注文する商品の合計金額の上限額を設定する上限設定部２０７と、メニュー情報２０６ａを記憶するためのメニュー情報記憶部２０６と、既に注文された商品に関する内容、つまり上述の注文履歴を示す伝票情報２０８ａを記憶するための伝票情報記憶部２０８と、ＥＣ決済を行うにあたって必要な内容を含む個人情報２０９ａを記憶するための個人情報記憶部２０９と、決済情報２１０ａを作成する決済情報作成部２１０と、ユーザを認証する認証部２１１と、オーダー情報２１２ａを作成するオーダー情報作成部２１２と、上記各部を制御する注文制御部２０２と、注文制御部２０２による制御に応じて図形や文字を表示する表示部２０３と、ダイヤルボタンなどを具備してそのボタン操作に応じた操作信号を注文制御部２０２に出力する操作部２０４とを備えている。
【０１３６】
ここで送受信部２０１は、ＩｒＤＡの規格に準じた赤外線通信を行う。
【０１３７】
携帯電話１Ａが顧客に携帯されて飲食店内に持ち込まれたときには、携帯電話１Ａの注文制御部２０２は送受信部２０１を介して、例えばＰＯＳ端末４０の通信ポート４１からテーブル識別番号を取得する。ここで、携帯電話１Ａのユーザと携帯電話２Ａのユーザとがメンバーとなって、飲食店に入ってＡテーブルに向かって着席する場合には、ＰＯＳ端末４０の通信ポート４１は、Ａテーブルに割り当てられたテーブル識別情報を、両携帯電話１Ａ，２Ａに送信する。そして、両携帯電話１Ａ，２Ａの注文制御部２０２は、そのテーブル識別情報を送受信部２０１を介して取得して、これをそれぞれのテーブルＩＤ記憶部２０５に保存する。
【０１３８】
携帯電話１Ａの注文制御部２０２は、送受信部２０１を介してＡ送受信機７１からメニュー情報２０６ａを取得すると、これをメニュー情報記憶部２０６に保存する。
【０１３９】
図１８は、メニュー情報２０６ａに含まれる内容を示すデータ内容表示図である。
このメニュー情報２０６ａには、商品の商品名が格納される商品名欄Ｅ１と、その商品の値段が格納される値段欄Ｅ２と、その商品を紹介する紹介文が格納される紹介文欄Ｅ３と、その商品がお勧めの商品であることを示すオススメ情報が格納されるオススメ欄Ｅ４とがある。
【０１４０】
例えば図１８に示すメニュー情報２０６ａの商品名欄Ｅ１には、商品名「生ビール」、「冷酒」、「じゃがバター」などが格納されており、値段欄Ｅ２には、商品名「生ビール」に関連付けて値段「４５０円」が格納され、紹介文欄Ｅ３には、商品名「生ビール」に関連付けて紹介文「麦芽１００％」が格納されている。また、商品名欄Ｅ１の商品名「かつおのたたき」及び商品名「刺身盛り合わせ」に関連付けられたオススメ欄Ｅ４には、お勧めの商品であることを示すオススメ情報「○」が格納されている。
【０１４１】
また、携帯電話１Ａの注文制御部２０２は、上述のようなメニュー情報２０６ａの内容をメニューとして表示部２０３に表示させる。そして、表示されたメニューの中から何れかの商品を選定するように指示する内容の操作信号が、ユーザによる操作に応じて操作部２０４から出力されると、注文制御部２０２は、その操作信号に基づいて選定された商品の値段をメニュー情報２０６ａから特定するとともに、その特定された値段と、既に注文した全ての商品の値段との積算額（合計金額）が、上限設定部２０７で設定された上限額以下であるか否かを、伝票情報２０８ａを参照して判別する。また、このような上限額は、ユーザによる操作部２０４の操作によって上限設定部２０７に設定されている。
【０１４２】
図１９は、伝票情報２０８ａに含まれる内容を示すデータ内容表示図である。この伝票情報２０８ａには、既に注文された商品の商品名が格納される商品名欄Ｆ１と、その商品の値段が格納される値段欄Ｆ２と、その商品の注文個数が格納される個数欄Ｆ３と、オーダー情報２１２ａを送信した携帯電話の電話番号が格納される発注所欄Ｆ４と、注文された時刻が格納される時刻欄Ｆ５と、その注文対象の商品が配膳されたか否かを示す配膳情報が格納される配膳欄Ｆ６とがある。
【０１４３】
例えば図１９に示す伝票情報２０８ａの商品名欄Ｆ１には、商品名「生ビール」が格納され、値段欄Ｆ２には、その商品名「生ビール」に関連付けて値段「３５０円」が格納され、個数欄Ｆ３には、その商品名「生ビール」に関連付けて個数「３」が格納され、発注所欄Ｆ４には、その商品名「生ビール」に関連付けて電話番号「０９０１２３４９８７６」が格納され、時刻欄Ｆ５には、その商品名「生ビール」に関連付けて時刻「１８：３０」が格納され、配膳欄Ｆ６には、商品名「生ビール」が既に配膳されたことを示す配膳情報「済」が格納されている。
【０１４４】
注文制御部２０２は、伝票情報記憶部２０８に登録されている上述のような伝票情報２０８ａと、上限設定部２０７に設定されている上限額とを読み出す。そして注文制御部２０２は、その伝票情報２０８ａの値段欄Ｆ２に格納されている各値段のそれぞれに対して、個数欄Ｆ３に格納されている個数を掛け合わせてこれらを積算し、さらにその積算結果に対して、上述のようにメニューの中から選定された商品の値段を積算して、その積算額が上限額以下であるか否かを判別する。
【０１４５】
例えば、ユーザが上限額を「７５００円」として上限設定部２０７に設定し、いずれの商品も注文していないときに、メニューの中から図１８に示す商品「冷酒」が選定された場合には、伝票情報２０８ａの値段欄Ｆ２には値段が格納されておらず、選定された商品「冷酒」の値段は「５００円」と特定されるので、注文制御部２０２は、その商品「冷酒」を購入しても積算額は上限額以下であると判別する。一方、図１９に示すように、３杯の商品「生ビール」、５個の「冷奴」、及び１つの「刺身盛り合わせ」をユーザが既に注文し、その結果が伝票情報２０８ａに登録されているときに、メニューの中から商品「冷酒」が選定された場合には、注文制御部２０２は、伝票情報２０８ａの値段欄Ｆ２に格納されている各値段「３５０円」、「１８０円」、「９００円」に、個数欄Ｆ３に格納されている個数「３」、「５」、「１」をそれぞれ掛け合わせてこれらを積算し、さらにその積算結果に商品「冷酒」の値段「５００円」を積算し、その積算額が上限額「７５００円」を上回る「７５５０円」となるので、その商品「冷酒」が注文された場合には、積算額が上限額を超えてしまうと判別する。
【０１４６】
そして注文制御部２０２は、積算額が上限額を超えてしまうと判別したときには、超過金額を表示部２０３に表示させる。例えば、上述の例では注文制御部２０２は超過金額として「５０円」を表示部２０３に表示させる。
【０１４７】
図２０は、注文制御部２０２がメニュー情報２０６ａに基づいて表示部２０３にメニューを表示させたときの表示部２０３の画面の一例を示す画面表示図である。
【０１４８】
注文制御部２０２は、メニュー情報２０６ａに含まれる各商品に対して、その商品の商品名と、その商品の値段と、その商品に対する紹介文とを表示部２０３に表示させ、メニュー情報２０６ａのオススメ欄Ｅ４にオススメ情報が格納されているときには、そのオススメ情報に対応する商品に対して「オススメ」の文字を表示させる。さらに、操作部２０４からの操作に応じて、注文制御部２０２は、このメニューの中から何れかの商品を選定してこれを網掛け表示させる。
【０１４９】
また、注文制御部２０２は、網掛けして選定されている商品「冷酒」に対して、この商品が注文された場合には注文商品の積算額が上限額を超えてしまうと判断すると、その超過金額（例えば「５０円」）を表示させる。
【０１５０】
このように、本実施の形態では、携帯電話１Ａ，２Ａにより飲食店のメニューが表示されるため、ユーザはそのメニューから容易に希望の商品を見つけることができ、さらに、表示されたメニューにある複数の商品の中から選定された商品が注文される前に、その商品を注文することで上限額を超えてしまうか否かが表示されるため、ユーザに対する利便性を向上することができる。
【０１５１】
さらに、このような図２０に示すような画面が表示されているときに、操作部２０４の「＃」が記されたボタンがユーザにより操作されたときには、注文制御部２０２は、その網掛け表示されて選定された商品に対するオーダー情報２１２ａをオーダー情報作成部２１２に作成させ、操作部２０４の「０」が記されたボタンが操作されたときには、注文制御部２０２は伝票情報２０８ａの内容を表示部２０３に表示させる。
【０１５２】
ここで、携帯電話１Ａの注文制御部２０２は、上述のようにオーダー情報２１２ａをオーダー情報作成部２１２に作成させたときには、その作成されたオーダー情報２１２ａを送受信部２０１からＡ送受信機７１に送信させる。
【０１５３】
図２１は、オーダー情報２１２ａに含まれる内容を示すデータ内容表示図である。
このオーダー情報２１２ａには、注文対象の商品の商品名が格納される商品名欄Ｇ１と、その商品の注文個数が格納される個数欄Ｇ２と、テーブルＩＤ記憶部２０５に記憶されているテーブル識別情報が格納されるテーブルＩＤ欄Ｇ３と、注文される時刻が格納される時刻欄Ｇ４と、このオーダー情報２１２ａを送信する携帯電話の電話番号が格納される発注所欄Ｇ５とがある。
【０１５４】
例えばこの図２１に示すオーダー情報２１２ａの商品名欄Ｇ１には、商品名「生ビール」が格納され、個数欄Ｇ２には個数「３」が格納され、テーブルＩＤ欄Ｇ３にはテーブル識別情報「ｔ１２４５」が格納され、時刻欄Ｇ４には時刻「１８：３０」が格納され、発注所欄Ｇ５には電話番号「０９０１２３４９８７６」が格納されている。
【０１５５】
オーダー情報作成部２１２は、選定された商品に関してメニュー情報２０６ａに含まれる内容と、テーブルＩＤ記憶部２０５に記憶されているテーブル識別情報と、個人情報２０９ａに含まれる電話番号を用いて上述のようなオーダー情報２１２ａを作成する。
【０１５６】
ここで、上述のオーダー情報２１２ａを取得したＡ送受信機７１は、そのオーダー情報２１２ａに含まれるテーブル識別情報が、自らが取り付けられているＡテーブルを示しているか否かを判別し、Ａテーブルを示していると判別したときには、そのオーダー情報２１２ａを厨房端末６０に送信するとともに、同一のテーブル識別情報を保持する他方の携帯電話１Ｂに対して、そのオーダー情報２１２ａと同様の内容を含むメンバーオーダー情報７１ａを送信する。
【０１５７】
このように、オーダー情報２１２ａにテーブル識別情報を含めることにより、Ａテーブルにある携帯電話１Ａ，２Ａからのオーダー情報２１２ａが、ＢテーブルにあるＢ送受信機７２に取得されて、Ｂテーブルから注文があったように誤って処理されるのを防ぐことができる。
【０１５８】
そして、携帯電話１Ａの注文制御部２０２は、オーダー情報作成部２１２で作成されたオーダー情報２１２ａを送受信部２０１から送信させると、その作成されたオーダー情報２１２ａに示される内容を伝票情報２０８ａに登録する。このとき、そのオーダー情報２１２ａにより示される商品に対応する伝票情報２０８ａの配膳欄Ｆ６には、商品が未だ届いていないことを示す内容の配膳情報が格納される。また、携帯電話１Ａの注文制御部２０２は、Ａ送受信機７１から送受信部２０１を介してメンバーオーダー情報７１ａを取得すると、そのメンバーオーダー情報７１ａに示される内容を伝票情報２０８ａに登録する。このときにも、そのメンバーオーダー情報７１ａにより示される商品に対応する伝票情報２０８ａの配膳欄Ｆ６には、商品が未だ届いていないことを示す内容の配膳情報が格納される。
【０１５９】
例えば、図１９に示すように、注文制御部２０２は、商品「刺身盛り合わせ」に関するオーダー情報２１２ａを作成して送信させたとき、又は、商品「刺身盛り合わせ」に関するメンバーオーダー情報７１ａを取得したときには、その商品名及び値段並びに個数などを伝票情報２０８ａに登録するとともに、伝票情報２０８ａの配膳欄Ｆ６に配膳情報「未」を登録する。
【０１６０】
ここで、図１９に示す伝票情報２０８ａの発注所欄Ｆ４には、電話番号「０９０１２３４９８７６」と、電話番号「０９０３４５６７６５４」とが格納されているが、電話番号「０９０１２３４９８７６」が携帯電話１Ａの個人情報２０９ａに含まれる電話番号である場合には、その電話番号「０９０１２３４９８７６」に関連付けられた商品名などの内容は、携帯電話１Ａのオーダー情報２１２ａに示される内容に基づいて登録されており、他方の電話番号「０９０３４５６７６５４」に関連付けられた商品名などの内容は、メンバーオーダー情報７１ａに示される内容に基づいて登録されている。
【０１６１】
さらに、携帯電話１Ａの注文制御部２０２は、送受信部２０１を介してＡ送受信機７１から配膳完了情報５０ａを取得すると、その配膳完了情報５０ａに含まれる内容に基づいて、上述の伝票情報２０８ａに示される内容を更新する。
【０１６２】
図２２は、配膳完了情報５０ａに含まれる内容を示すデータ内容表示図である。
この配膳完了情報５０ａには、配膳が行われた商品の商品名が格納される商品名欄Ｈ１と、その商品の個数を示す個数欄Ｈ２と、配膳されるテーブルに割り当てられたテーブル識別情報が格納されるテーブルＩＤ欄Ｈ３とがある。
【０１６３】
例えば図２２に示す配膳完了情報５０ａの商品名欄Ｈ１には、商品名「生ビール」が格納され、個数欄Ｈ２には個数「３」が格納され、テーブルＩＤ欄Ｈ３にはテーブル識別情報「ｔ１２４５」が格納されている。
【０１６４】
このような配膳完了情報５０ａは、店員用携帯電話５０からＡ送受信機７１に送信され、Ａ送受信機７１は、その配膳完了情報５０ａを取得すると、そこに含まれるテーブル識別情報が、自らが取り付けられているＡテーブルを示しているか否かを判別し、Ａテーブルを示していると判別したときには、その配膳完了情報５０ａをＡテーブルにある携帯電話１Ａ，２Ａに対して送信する。
【０１６５】
そこで、携帯電話１Ａの注文制御部２０２は、配膳完了情報５０ａを取得すると、その配膳完了情報５０ａに含まれるテーブル識別情報と、テーブルＩＤ記憶部２０５に記憶されているテーブル識別情報とを照合する。そして注文制御部２０２は、両テーブル識別情報が一致するときに、配膳完了情報５０ａにより示される商品名を伝票情報２０８ａの中から検索して、伝票情報２０８ａの当該商品名に対応する配膳欄Ｆ６に、注文された商品の配膳は完了したことを示す内容の配膳情報「済」を格納する。これにより、その伝票情報２０８ａは更新される。
【０１６６】
このように、配膳完了情報５０ａにテーブル識別情報を含めることにより、配膳を受けたＡテーブルと異なるＢテーブルにある携帯電話１Ｂなどが、自らの伝票情報２０８ａをＡテーブルからの配膳完了情報５０ａに応じて誤って更新してしまうのを防ぐことができる。
【０１６７】
図２３は、注文制御部２０２が伝票情報２０８ａに含まれる内容を伝票として表示部２０３に表示させたときの表示部２０３の画面の一例を示す画面表示図である。
【０１６８】
注文制御部２０２は、伝表情報に含まれる各商品に対して、その商品の商品名及び値段並びに個数と、その商品が注文された時刻と、その商品を注文した携帯電話のユーザの名前と、その商品の配膳状況を示す文字と、注文された商品の合計金額と、その合計金額を複数人で分担した場合の分担金額と、メニューを表示するためには「０」が記されたボタンを操作するように促すメッセージと、ＥＣ決済をするためには「＃」が記されたボタンを操作するように促すメッセージとを表示させる。
【０１６９】
ここで、注文制御部２０２は、伝票情報２０８ａに含まれる商品に対する値段と個数とを掛け合わせて、その結果をそれぞれの商品ごとに積算し、その積算額を上述の合計金額として表示部２０３に表示させている。
【０１７０】
また、ＥＣ決済がグループの他のメンバーと分担して行われる場合には、そのＥＣ決済を行うメンバーの人数が予め注文制御部２０２に設定されている。このような人数の設定は操作部２０４の操作によって行われる。そして、その人数が設定されている場合、注文制御部２０２は、上述のように算出した合計金額を、設定された人数で除算して、その結果を上述の分担金額として表示部２０３に表示させている。さらに、このように複数人でＥＣ決済が行われる場合には、決済情報作成部２１０は、上述の分担金額のみを決済するように指示する内容の決済情報２１０ａを作成する。
【０１７１】
またさらに、上述のように伝票に表示される名前は、伝票情報２０８ａに示される電話番号と、携帯電話１Ａが保持する電子的なアドレス帳、又は個人情報２０９ａとに基づいて表示される。つまり携帯電話１Ａの注文制御部２０２は、伝票情報２０８ａに示される電話番号をアドレス帳又は個人情報２０９ａから検索して、その電話番号と関連付けてアドレス帳又は個人情報２０９ａに登録されている名前を表示部２０３に表示させる。また、その電話番号と関連付けられた名前が無ければ、注文制御部２０２はその電話番号を表示する。
【０１７２】
このように、本実施の形態では、決済前に携帯電話１Ａの表示部２０３に、注文商品の値段の積算額（合計金額）が表示されるため、ユーザは注文しながら逐次それらの合計金額を容易に把握することができ、ユーザに対する利便性を向上することができる。また、伝票も表示部２０３に表示されるため、ユーザは注文商品を確認しながら購買活動（注文活動）を行うことができ、さらに、配膳されたか否かを示す配膳情報も表示されるため、ユーザに対する利便性をさらに向上することができる。
【０１７３】
ここで、携帯電話１Ａの注文制御部２０２は、ＥＣ決済するように指示する内容の操作信号を操作部２０４から取得したときには、ユーザに対してＥＣ決済を行うにあたって必要なパスワードの入力を促すメッセージを表示部２０３に表示させる。ここで、操作部２０４からパスワードが入力されると、注文制御部２０２は、そのパスワードと個人情報記憶部２０９に保持される個人情報２０９ａとに基づいて、ユーザの認証を認証部２１１に実行させる。
【０１７４】
図２４は、個人情報記憶部２０９に記憶されている個人情報２０９ａに含まれる内容を示すデータ内容表示図である。
【０１７５】
この個人情報２０９ａには、携帯電話１Ａのユーザに割り当てられたユーザ識別情報が格納されるユーザＩＤ欄Ｉ１と、そのユーザの名前が格納される名前欄Ｉ２と、携帯電話１Ａの電話番号が格納される電話番号欄Ｉ３と、そのユーザがＥＣ決済を行うにあたって必要なパスワードが格納されるパスワード欄Ｉ４とがある。
【０１７６】
例えばこの図２４に示す個人情報２０９ａのユーザＩＤ欄Ｉ１には、ユーザ識別情報「Ｕ０１２３４」が格納され、名前欄Ｉ２には名前「田中太郎」が格納され、電話番号欄Ｉ３には電話番号「０９０１２３４９８７６」が格納され、パスワード欄Ｉ４にはパスワード「ＡＢ０５４３ＣＤ」が格納されている。
【０１７７】
認証部２１１は、操作部２０４から入力されたパスワードが上述の個人情報２０９ａに含まれているパスワードと一致するか否かを判別することにより、そのユーザの認証を行う。そして認証部２１１は、その認証結果を注文制御部２０２に通知する。
【０１７８】
注文制御部２０２は、認証部２１１からの通知に基づいて、パスワードを入力したユーザが正規ユーザであると判別したときには、決済情報作成部２１０に決済情報２１０ａを作成させて、その決済情報２１０ａを送受信部２０１からＰＯＳ端末４０に送信させる。一方、注文制御部２０２は、パスワードを入力したユーザが不正なユーザであると判別したときには、決済情報作成部２１０が決済情報２１０ａを作成するのを禁止させる。
【０１７９】
また、決済情報作成部２１０は、伝票情報記憶部２０８に保存されている伝票情報２０８ａと、個人情報記憶部２０９に保存されている個人情報２０９ａとから決済情報２１０ａを作成する。つまり、決済情報作成部２１０は、少なくとも、伝票情報２０８ａに含まれる商品名と値段と個数と、個人情報２０９ａに含まれるパスワードとが含まれるように決済情報２１０ａを作成する。
【０１８０】
次に、このように構成される携帯電話１Ａの注文制御部２０２の一連の動作について、図２５を参照して説明する。
図２５は、携帯電話１Ａの注文制御部２０２の一連の動作を示すフロー図である。
【０１８１】
まず、携帯電話１Ａの注文制御部２０２は、送受信部２０１を介してＰＯＳ端末４０からテーブル識別情報を取得してこれをテーブルＩＤ記憶部２０５に保持させる（ステップＳ３００）。
【０１８２】
次に、携帯電話１Ａの注文制御部２０２は、送受信部２０１を介してＡ送受信機７１からメニュー情報２０６ａを取得すると（ステップＳ３０２）、そのメニュー情報２０６ａに含まれる内容、つまりメニューを表示部２０３に表示させる（ステップＳ３０４）。またこのとき、注文制御部２０２は、伝票情報２０８ａの内容を表示するように指示する内容の操作信号を操作部２０４から取得したときには、その操作信号に応じて伝票情報２０８ａの内容を表示する。
【０１８３】
そして、注文制御部２０２は、ユーザによる操作に基づいて操作部２０４から出力される操作信号を取得すると、メニューの中からその操作信号に応じた商品を選定し（ステップＳ３０６）、その商品の値段と、これまでに注文した商品の値段との積算額が、上限設定部２０７により設定された上限額以下であるか否かを判別する（ステップＳ３０８）。
【０１８４】
ここで、注文制御部２０２は、上記積算額が上限額以下であると判別すると（ステップＳ３０８のＹ）、さらに、その商品を注文するように指示する内容の操作信号が操作部２０４から出力されたか否かを判別する（ステップＳ３１２）。また、上記積算額が上限額を超えると判別すると（ステップＳ３０８のＮ）、超過金額を算出してその結果を表示部２０３に表示させる（ステップＳ３１０）。
【０１８５】
注文制御部２０２は、選定された商品を注文するように指示する内容の操作信号が出力されたと判別したときには（ステップＳ３１２のＹ）、その選定された商品に関するオーダー情報２１２ａをオーダー情報作成部２１２に作成させて、これを送受信部２０１からＡ送受信機７１に送信させる（ステップＳ３１４）。これによりその選定された商品の注文が行われたこととなる。
【０１８６】
次に注文制御部２０２は、そのオーダー情報２１２ａの内容を伝票情報２０８ａに登録して、その伝票情報２０８ａに含まれる内容を表示部２０３に表示させる（ステップＳ３１６）。
【０１８７】
そして、注文制御部２０２は、メンバーオーダー情報７１ａが送受信部２０１で受信されたか否かを判別し（ステップＳ３１８）、受信されたと判別したときには（ステップＳ３１８のＹ）、そのメンバーオーダー情報７１ａに含まれる内容を伝票情報２０８ａに登録して、その伝票情報２０８ａに含まれる内容を表示部２０３に表示させる（ステップＳ３２０）。
【０１８８】
ここで、注文制御部２０２は、メニューを表示するように指示する内容の操作信号が操作部２０４から出力されたか否かを判別し（ステップＳ３２２）、その操作信号が出力されたと判別したときには（ステップＳ３２２のＹ）、ステップＳ３０４からの動作を繰り返し実行し、その操作信号が出力されていないと判別したときには（ステップＳ３２２のＮ）、配膳完了情報５０ａが送受信部２０１で受信されるのを待ち受ける状態となり（ステップＳ３２４）、配膳完了情報５０ａが受信されたか否かを判別する（ステップＳ３２６）。
【０１８９】
そして、注文制御部２０２は、配膳完了情報５０ａが受信されたと判別したときには（ステップＳ３２６のＹ）、その配膳完了情報５０ａに示される商品が配膳されたことを示す配膳情報を伝票情報２０８ａに登録してこれを更新する（ステップＳ３２８）。
【０１９０】
次に、注文制御部２０２は、ＥＣ決済するように指示する内容の操作信号が操作部２０４から出力されたか否かを判別し（ステップＳ３３０）、その操作信号が出力されたと判別したときには（ステップＳ３３０のＹ）、さらに、操作部２０４から入力されたパスワードが個人情報２０９ａに含まれるパスワードと一致するか否かを認証部２１１に判定させる（ステップＳ３３２）。そして一致すると判定されたときには（ステップＳ３３２のＹ）、注文制御部２０２は、伝票情報２０８ａ及び個人情報２０９ａに基づいて決済情報２１０ａを決済情報作成部２１０に作成させて、これを送受信部２０１からＰＯＳ端末４０に送信させることで、ＰＯＳ端末４０に接続された決済会社９９１に対して決済処理を実行させる（ステップＳ３３４）。
【０１９１】
また、ステップＳ３３０でＥＣ決済を促すように指示する操作信号が出力されないと判別したときには（ステップＳ３３０のＮ）、注文制御部２０２は、ステップＳ３０４からの動作を繰り返し実行し、ステップＳ３３２でパスワードが一致しないと判定されたときには（ステップＳ３３２のＮ）、注文制御部２０２は、決済情報作成部２１０による決済情報２１０ａの作成を禁止してステップＳ３０４からの動作を繰り返し実行する。
【０１９２】
次に、このような携帯電話１Ａ，２Ａを用いた決済システムの動作について、図２６を参照して説明する。
図２６は、携帯電話１Ａ，２Ａを用いた決済システムの動作を示すシーケンス図である。
【０１９３】
まず、ＰＯＳ端末４０は、携帯電話１Ａ及び携帯電話２Ａに対してテーブル識別情報を送信し（ステップＳ４００，Ｓ４０２）、携帯電話１Ａ及び携帯電話２Ａは、それぞれそのテーブル識別情報を取得してこれを保持する。
【０１９４】
次に、Ａ送受信機７１は、携帯電話１Ａ及び携帯電話２Ａに対してメニュー情報２０６ａを送信する（ステップＳ４０４，Ｓ４０６）。
【０１９５】
携帯電話１Ａ及び携帯電話２Ａは、そのメニュー情報２０６ａに基づいてそれぞれの表示部２０３にメニューを表示する（ステップＳ４０８，Ｓ４１０）。
【０１９６】
ここでユーザによる操作に基づいて携帯電話１Ａは、Ａ送受信機７１に対してオーダー情報２１２ａを送信し（ステップＳ４１２）、そのオーダー情報２１２ａに示される内容を自らの伝票情報２０８ａに登録する（ステップＳ４１４）。
【０１９７】
携帯電話１Ａからオーダー情報２１２ａを取得したＡ送受信機７１は、そのオーダー情報２１２ａに含まれるテーブル識別情報を確認した上で、そのオーダー情報２１２ａを厨房端末６０に送信すると共に（ステップＳ４１６）、メンバーオーダー情報７１ａを携帯端末２Ａに送信する（ステップＳ４１８）。
【０１９８】
Ａ送受信機７１からオーダー情報２１２ａを取得した厨房端末６０は、そのオーダー情報２１２ａに示される注文内容を自らが保持するオーダーリスト情報６１に登録し、そのオーダーリスト情報６１の内容をオーダー表として表示するとともに（ステップＳ４２０）、オーダーリスト情報６１を店員用携帯電話５０に送信する（ステップＳ４２２）。
【０１９９】
厨房端末６０からオーダーリスト情報６１を取得した店員用携帯電話５０は、そのオーダーリスト情報６１に示される内容を、厨房端末６０の場合と同様にオーダー表として表示する（ステップＳ４２４）。
【０２００】
一方、Ａ送受信機７１からメンバーオーダー情報７１ａを取得した携帯電話２Ａは、そのメンバーオーダー情報７１ａに示される内容を自らが保持する伝票情報２０８ａに登録する（ステップＳ４２６）。
【０２０１】
そして、携帯電話１Ａ及び携帯電話２Ａは、伝票情報２０８ａに含まれる内容を伝票として表示する（ステップＳ４２８，Ｓ４３０）。
【０２０２】
ここで、注文された商品が店員によって配膳されると、店員用携帯電話５０は、配膳完了情報５０ａをＡ送受信機７１に対して送信する（ステップＳ４３２）。
【０２０３】
店員用携帯電話５０から配膳完了情報５０ａを取得したＡ送受信機７１は、その配膳完了情報５０ａを、厨房端末６０及び携帯電話１Ａ並びに携帯電話２Ａに対して送信する（ステップＳ４３４，Ｓ４３６，Ｓ４３８）。
【０２０４】
Ａ送受信機７１から配膳完了情報５０ａを取得した厨房端末６０は、自らが保持するオーダーリスト情報６１をその配膳完了情報５０ａに示される内容に基づいて更新することで、表示しているオーダー表を更新する（ステップＳ４４０）。
【０２０５】
また、Ａ送受信機７１から配膳完了情報５０ａを取得した携帯電話１Ａ及び携帯電話２Ａは、それぞれ、その配膳完了情報５０ａに示される内容に基づいて自らが保持する伝票情報２０８ａを更新する（ステップＳ４４２，Ｓ４４４）。
【０２０６】
このようなステップＳ４１２〜Ｓ４４４までの動作と同様の動作は、携帯電話１Ａ，２Ａのユーザの注文行動や店員の配膳行動に応じて繰り返し実行される。
【０２０７】
次に、携帯電話１Ａは、ユーザからの操作に応じて、ＥＣ決済のためのパスワードを取得すると、そのパスワードに基づいてユーザの認証を行い（ステップＳ４４６）、決済情報２１０ａをＰＯＳ端末４０に送信する（ステップＳ４４８）。
【０２０８】
決済情報２１０ａを取得したＰＯＳ端末４０は、その決済情報２１０ａに基づいて決済会社９９１に対して決済処理を実行させる（ステップＳ４５０）。
【０２０９】
このように、本実施の形態では、随時注文される商品のリストとその合計金額が表示されるため、ユーザはその表示を見てその内容を確認しながら購買活動（注文活動）を行うことができ、ユーザに対する利便性を向上することができる。
【０２１０】
なお、本発明は上記実施の形態に限定するものではない。例えば、本実施の形態では、携帯電話１Ａ，２Ａ及びＰＯＳ端末４０並びにＡ送受信機７１に対して、赤外線を用いて通信させたが、他の通信方法、例えばＢｌｕｅｔｏｏｔｈ（「ザ  ブルートゥース  エスアイジー  インコーポレーテッド」の登録商標）により通信させても良い。
【０２１１】
また、本実施の形態では、パスワードを用いてユーザの認証を行ったが、実施の形態１と同様、指紋や虹彩を用いて認証を行っても良い。この場合には、個人情報２０９ａにはその指紋や虹彩を示すデータが含まれる。また、携帯電話１Ａは、入力されたパスワードが個人情報２０９ａのパスワードと一致しないと判定したときには、パスワードの再入力をユーザに求めても良い。この場合、その再入力は例えば３回まで可能としておく。
【０２１２】
また、本実施の形態では、携帯電話１Ａの注文制御部２０２は、メニュー情報２０６ａから商品が選定されるごとに、その商品が注文された場合における注文商品の合計金額が上限額を超えてしまうか否かを判別したが、商品を選定してその商品が注文された後、つまりその商品に関する情報が伝票情報２０８ａに登録された後に、その伝票情報２０８ａのみに基づいて注文商品の合計金額が上限額を超えてしまうか否かを判別しても良い。
【０２１３】
また、本実施の形態では、携帯電話１Ａに決済情報作成部２１０を備えたが、この決済情報作成部２１０を省いても良い。この場合にも、携帯電話１Ａは、上述と同様、随時注文される商品のリストとその合計金額を表示するため、ユーザに対する利便性を向上することができる。
【０２１４】
また、本実施の形態では、ＰＯＳ端末４０から送信される共通のテーブル識別情報を携帯電話１Ａ，２Ａに取得させたが、例えば各テーブルにテーブル識別情報を出力するスタンドを設け、そのスタンドから出力されるテーブル識別情報を携帯電話１Ａ，２Ａに取得させても良い。この場合には、携帯電話１Ａ，２Ａのユーザは、飲食店に入ってテーブルに着くと、上述のようなスタンドに携帯電話１Ａ，２Ａを接続する。これにより、携帯電話１Ａ，２Ａはそれぞれ共通のテーブル識別情報を取得することとなる。
【０２１５】
また、本実施の形態では、携帯電話１Ａ，２Ａのそれぞれに商品の値段を表示させたが、例えば携帯電話１Ａのユーザのみが決済を行うような場合には、携帯電話２Ａには商品の値段及び合計金額を表示させないようにしても良い。さらに、携帯電話１Ａ，２Ａの何れかに対して、商品の値段や合計金額を実際の額と異なるように表示させても良い。
【０２１６】
さらに、本実施の形態では、Ａ送受信機７１及びＢ送受信機７２に同一のメニュー情報２０６ａを送信させたが、互いに異なるメニュー情報を送信させても良い。また、このようなメニュー情報２０６ａの内容を厨房端末６０で変更させても良い。つまり、厨房端末６０は、メニュー情報２０６ａをＡ送受信機７１及びＢ送受信機７２に送信し、Ａ送受信機７１及びＢ送受信機７２はその厨房端末６０から取得したメニュー情報２０６ａを携帯電話に送信する。そして、例えばＡテーブルにお得意様となる顧客、又は本日が誕生日となる顧客が来たときには、店員は厨房端末６０を操作してお得意様用又はバースデー用のメニューを示すメニュー情報２０６ａをＡ送受信機７１に送信する。これにより、そのお得意様の顧客などの携帯電話には、特別のメニューが表示される。また、Ａテーブルに未成年の顧客が来たときには、店員は厨房端末６０を操作して未成年用のメニュー、例えばアルコール飲料が含まれていないメニューを示すメニュー情報２０６ａをＡ送受信機７１に送信する。これにより、未成年の顧客がアルコール飲料を注文するのを防ぐことができる。
【０２１７】
また、本実施の形態では、Ａ送受信機７１及びＢ送受信機７２にメニュー情報２０６ａを送信させてこれを携帯電話１Ａ，２Ａに取得させたが、ＰＯＳ端末４０にメニュー情報２０６ａを送信させてこれを携帯電話１Ａ，２Ａに取得させても良い。この場合には、携帯電話１Ａ，２Ａのユーザは、飲食店に入ったときにその飲食店の入口やレジ前で、その携帯電話１Ａ，２Ａにメニュー情報２０６ａをＰＯＳ端末４０から取得させる。
【０２１８】
さらに、本実施の形態では、店員用携帯電話５０から配膳完了情報５０ａを送信させが、飲食店の各食器に配膳完了情報５０ａを含むＲＦＩＤタグを取着しておき、注文の商品が配膳されたときに、その商品の食器に取着されているＲＦＩＤタグに含まれる配膳完了情報５０ａを携帯電話１Ａ，２Ａに読み取らせても良い。
【０２１９】
さらに、実施の形態１及び実施の形態２では、携帯端末として携帯電話を用いたが、ＰＤＡ（Ｐｅｒｓｏｎａｌ  ｄｉｇｉｔａｌ  ａｓｓｉｓｔａｎｔ）又は腕時計であっても良い。
【０２２０】
図２７は、実施の形態２の腕時計として構成された携帯端末を示す外観図である。
この図２７に示すように、ユーザは、携帯端末を携帯電話として構成した場合と同様、腕時計１Ａ’を用いて注文を行うことができるとともに、伝票の内容と、注文された商品の合計金額とを確認することができる。
【０２２１】
【発明の効果】
以上の説明から明らかなように、本発明に係る携帯端末によれば、商品情報を取得してその商品情報により示される商品のうちユーザの所望の商品に対する決済情報を送信するため、ユーザは本携帯端末を用いて容易に決済を行うことができるとともに、その所望の商品に対する値段の積算額が表示されるため、ユーザは決済前にその表示を見て積算額を確認しながら購買活動を行うことができ、購買活動時におけるユーザに対する利便性を向上することができる。
【図面の簡単な説明】
【図１】本発明の第１の実施の形態における携帯端末を用いた決済システムの構成を示すシステム構成図である。
【図２】同上の携帯電話の内部構成を示す内部構成図である。
【図３】同上の割引情報に含まれる内容を示すデータ内容表示図である。
【図４】同上の商品紹介情報に含まれる内容を示すデータ内容表示図である。
【図５】同上の制御部が地図情報に基づいて表示部に店舗内の地図を表示させたときの表示部の画面の一例を示す画面表示図である。
【図６】同上の商品紹介情報に含まれる内容が表示部に表示された画面の一例を示す画面表示図である。
【図７】同上の商品情報に含まれる内容を示すデータ内容表示図である。
【図８】同上の購買情報に含まれる内容を示すデータ内容表示図である。
【図９】同上の制御部が商品の値段などを表示部に表示させたときの画面の一例を示す画面表示図である。
【図１０】同上の制御部が購買情報の内容を表示部に表示させたときの画面の一例を示す画面表示図である。
【図１１】同上の個人情報に含まれる内容を示すデータ内容表示図である。
【図１２】同上の携帯電話の制御部の動作を示すフロー図である。
【図１３】同上の決済システムの全体的な動作を示すシーケンス図である。
【図１４】本発明の第２の実施の形態における携帯端末を用いた決済システムの構成を示すシステム構成図である。
【図１５】同上のＰＯＳ端末と厨房端末と店員用携帯電話とＡ送受信機と携帯電話との間で情報が送受信される様子を示す状態図である。
【図１６】同上のオーダー表を表示する厨房端末の画面の一例を示す画面表示図である。
【図１７】同上の携帯電話の内部構成を示す構成図である。
【図１８】同上のメニュー情報に含まれる内容を示すデータ内容表示図である。
【図１９】同上の伝票情報に含まれる内容を示すデータ内容表示図である。
【図２０】同上の注文制御部がメニュー情報に基づいて表示部にメニューを表示させたときの表示部の画面の一例を示す画面表示図である。
【図２１】同上のオーダー情報に含まれる内容を示すデータ内容表示図である。
【図２２】同上の配膳完了情報に含まれる内容を示すデータ内容表示図である。
【図２３】同上の注文制御部が伝票情報に含まれる内容を伝票として表示部に表示させたときの表示部の画面の一例を示す画面表示図である。
【図２４】同上の個人情報記憶部に記憶されている個人情報に含まれる内容を示すデータ内容表示図である。
【図２５】同上の携帯電話の注文制御部の一連の動作を示すフロー図である。
【図２６】同上の携帯電話を用いた決済システムの動作を示すシーケンス図である。
【図２７】同上の腕時計として構成された携帯端末を示す外観図である。
【符号の説明】
１０  発信機
１０ａ  商品情報
２０  案内装置
２１ａ  案内情報
３０  ＰＯＳ端末
１００  携帯電話
１０１  送受信部
１０２  制御部
１０３  表示部
１０４  操作部
１０５  割引情報記憶部
１０５ａ  割引情報
１０６  判定部
１０７  上限設定部
１０８  購買情報記憶部
１０８ａ  購買情報
１０９  個人情報記憶部
１０９ａ  個人情報
１１０  決済情報作成部
１１０ａ  決済情報
１１１  認証部
１１２  案内情報記憶部
【図１】
2004318650.tif 000003
【図２】
2004318650.tif 000004
【図３】
2004318650.tif 000005
【図４】
2004318650.tif 000006
【図５】
2004318650.tif 000007
【図６】
2004318650.tif 000008
【図７】
2004318650.tif 000009
【図８】
2004318650.tif 000010
【図９】
2004318650.tif 000011
【図１０】
2004318650.tif 000012
【図１１】
2004318650.tif 000013
【図１２】
2004318650.tif 000014
【図１３】
2004318650.tif 000015
【図１４】
2004318650.tif 000016
【図１５】
2004318650.tif 000017
【図１６】
2004318650.tif 000018
【図１７】
2004318650.tif 000019
【図１８】
2004318650.tif 000020
【図１９】
2004318650.tif 000021
【図２０】
2004318650.tif 000022
【図２１】
2004318650.tif 000023
【図２２】
2004318650.tif 000024
【図２３】
2004318650.tif 000025
【図２４】
2004318650.tif 000026
【図２５】
2004318650.tif 000027
【図２６】
2004318650.tif 000028
【図２７】
2004318650.tif 000029